(57)【要約】【課題】無線ローカルエリアネットワーク（ＷＬＡＮ）についてのマルチユーザ同時ランダムアクセスのための方法および装置を提供する。【解決手段】方法は、無線送受信ユニット（ＷＴＲＵ）において実施され、アップリンク（ＵＬ）マルチユーザ（ＭＵ）送信のためのトリガフレームを検出するステップを含む。トリガフレームは、次回のＵＬ  ＭＵパケットデータ収束プロトコル（ＰＤＣＰ）プロトコルデータユニット（ＰＰＤＵ）における、ランダムアクセスのためのリソースユニット（ＲＵ）の割り当てと、トリガフレームがＭＵ送信機会（ＴｘＯＰ）におけるトリガフレームのカスケード系列内の複数のトリガフレームのうちの１つであることの表示とを含む。【選択図】図１４
2019146264.tif 000002
【特許請求の範囲】
【請求項１】
受信機およびプロセッサであって、アップリンク（ＵＬ）マルチユーザ（ＭＵ）送信のためのトリガフレームを検出するように構成され、前記トリガフレームは、次回のＵＬ  ＭＵ物理レイヤプロトコルデータユニット（ＰＰＤＵ）における、ランダムアクセスのためのリソースユニット（ＲＵ）の割り当てと、前記トリガフレームがＭＵ送信機会（ＴｘＯＰ）におけるトリガフレームのカスケード系列内の複数のトリガフレームのうちの１つであることの表示とを含む、受信機およびプロセッサと、
送信機であって、前記プロセッサおよび前記送信機は、ランダムアクセス送信のために、ＲＵの前記割り当て内の前記ＲＵのうちの１つを選択し、前記ＲＵのうちの前記選択された１つの上で、前記ランダムアクセス送信を送信するように構成された、送信機と
を備えた無線送受信ユニット（ＷＴＲＵ）。
【発明の詳細な説明】
【技術分野】
【０００１】
本願は、無線通信に関する。
【背景技術】
【０００２】
関連出願の相互参照
本出願は、２０１５年９月１１日に出願された米国仮特許出願第６２／２１７５６４号、２０１５年１０月１６日に出願された米国仮特許出願第６２／２４２４８４号、および２０１６年１月１４日に出願された米国仮特許出願第６２／２７８７７４号の利益を主張し、上これら仮特許出願の内容は、参照によって本明細書に組み込まれる。
【発明の概要】
【課題を解決するための手段】
【０００３】
無線ローカルエリアネットワーク（ＷＬＡＮ）についてのマルチユーザ同時ランダムアクセスのための方法および装置が、説明される。方法は、無線送受信ユニット（ＷＴＲＵ）において実施され、アップリンク（ＵＬ）マルチユーザ（ＭＵ）送信のためのトリガフレームを検出するステップを含む。トリガフレームは、次回のＵＬ  ＭＵパケットデータ収束プロトコル（ＰＤＣＰ）プロトコルデータユニット（ＰＰＤＵ）における、ランダムアクセスのためのリソースユニット（ＲＵ）の割り当てと、トリガフレームがＭＵ送信機会（ＴｘＯＰ）におけるトリガフレームのカスケード系列（cascading sequence）内の複数のトリガフレームのうちの１つであることの表示とを含む。方法は、ランダムアクセス送信のために、ＲＵの割り当て内のＲＵのうちの１つを選択するステップと、ＲＵのうちの選択された１つの上において、ランダムアクセス送信を送信するステップとをさらに含む。
【図面の簡単な説明】
【０００４】
より詳細な理解は、添付の図面と併せて、例として与えられる、以下の説明から得られることができる。
【０００５】
【図１Ａ】１つまたは複数の開示される実施形態が実施されることができる、例示的な通信システムのシステム図である。
【図１Ｂ】図１Ａに示される通信システム内で使用されることができる、例示的な無線送受信ユニット（ＷＴＲＵ）のシステム図である。
【図１Ｃ】図１Ａに示される通信システム内で使用されることができる、例示的な無線アクセスネットワークおよび例示的なコアネットワークのシステム図である。
【図２Ａ】トリガフレームに応答して送信されることができる、２０ＭＨｚ用の例示的な２０ＭＨｚ直交周波数分割多元接続（ＯＦＤＭＡ）ＵＬ  ＭＵ  ＰＰＤＵのための例示的なビルディングブロックを示す図である。
【図２Ｂ】例示的な高効率信号Ｂ（ＨＥ−ＳＩＧ−Ｂ）フィールドを示す図である。
【図３Ａ】ＭＵランダムアクセスのための例示的なトリガフレームを示す図である。
【図３Ｂ】ＭＵランダムアクセスのための例示的なトリガフレームを示す図である。
【図４Ａ】ヌルデータパケット（ＮＤＰ）タイプトリガによって除かれることができる衝突を引き起こすことがある潜在的なシナリオを示すシステム図である。
【図４Ｂ】ＮＤＰタイプトリガの使用が図４Ｂのシナリオにおける衝突をいかにして防止することができるかを示すシステム図である。
【図５】例示的なショートランダムアクセス（ＳＲＡ）媒体アクセス制御（ＭＡＣ）フレームを示す図である。
【図６Ａ】例示的なＮＰＤ  ＳＲＡフレームを示す図である。
【図６Ｂ】別の例示的なＮＰＤ  ＳＲＡフレームを示す図である。
【図６Ｃ】別の例示的なＮＤＰ  ＳＲＡフレームを示す図である。
【図７】例示的な準ＮＤＰ  ＳＲＡフレームを示す図である。
【図８Ａ】ランダムアクセスフレームおよびトリガフレームを用いる例示的なフレーム交換の信号図である。
【図８Ｂ】ランダムアクセスフレームおよびトリガフレームを用いる例示的なフレーム交換の信号図である。
【図９】ＵＬ  ＭＵランダムアクセスをトリガする例示的な方法のフロー図である。
【図１０】ＵＬ  ＭＵランダムアクセスの例示的な方法のフロー図である。
【図１１】ＵＬ  ＭＵランダムアクセスの別の例示的な方法のフロー図である。
【図１２】ＳＲＡフレームを用いるランダムアクセス手順を示す図である。
【図１３】間に置かれたブロックアクノリジメント（acknowledgement）（ＡＣＫ）／トリガフレームの後にランダムアクセス機会（ＲａＯＰ）が発生する、カスケードトリガフレームを使用する例示的な順次ランダムアクセス手順の信号図である。
【図１４】ＲａＯＰが互いの後直ちに発生し、遅延させられたＭＵブロックＡＣＫが用いられる、カスケードトリガフレームを使用する例示的な順次ランダムアクセス手順の信号図である。
【図１５】遅延させられたＡＣＫが許可されるときの例示的なＰＨＹレイヤアクノリジメント手順の信号図である。
【図１６】ＵＬ  ＭＵランダムアクセスの例示的な方法のフロー図である。
【図１７】ＵＬ  ＭＵランダムアクセスの別の例示的な方法のフロー図である。
【図１８】ＵＬ  ＭＵランダムアクセス手順の後に、またはショートパケットのスケジュールされたＵＬ送信の後に、ＳＴＡが通常のＥＤＣＡ手順に戻った結果として発生することがある、潜在的な衝突を示す図である。
【図１９】例示的なＵＬ  ＭＵ  ＰＰＤＵを示す図である。
【図２０】無線周波数（ＲＦ）同相／直交（Ｉ／Ｑ）不均衡を有する部分的にロードされたＯＦＤＭ信号の電力スペクトル密度のグラフである。
【図２１】対称ランダムアクセスの例を示す図である。
【図２２】各ランダムアクセス機会内において決定されたトラフィックプライオリティを有する、例示的なランダムアクセス連続送信機会（ＴｘＯＰ）の信号図である。
【図２３】特定のＲＵについて決定されたトラフィックプライオリティを有する、例示的なランダムアクセス連続ＴｘＯＰの信号図である。
【発明を実施するための形態】
【０００６】
図１Ａは、１つまたは複数の開示される実施形態が実施されることができる、例示的な通信システム１００の図である。通信システム１００は、音声、データ、ビデオ、メッセージング、放送などのコンテンツを複数の無線ユーザに提供する、多元接続システムとすることができる。通信システム１００は、複数の無線ユーザが、無線帯域幅を含むシステムリソースの共用を通して、そのようなコンテンツにアクセスすることを可能することができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１つまたは複数のチャネルアクセス方法を利用することができる。
【０００７】
図１Ａに示されるように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された、任意のタイプのデバイスとすることができる。例として、ＷＴＲＵ１０２ａ、１０２ｂ、１０２ｃ、１０２ｄは、無線信号を送信および／または受信するように構成されることができ、ユーザ機器（ＵＥ）、移動局、固定もしくは移動加入者ユニット、ページャ、セルラ電話、パーソナルデジタルアシスタント（ＰＤＡ）、スマートフォン、ラップトップ、ネットブック、パーソナルコンピュータ、無線センサ、および家電製品などを含むことができる。
【０００８】
通信システム１００は、基地局１１４ａおよび基地局１１４ｂも含むことができる。基地局１１４ａ、１１４ｂの各々は、コアネットワーク１０６、インターネット１１０、および／または他のネットワーク１１２などの１つまたは複数の通信ネットワークへのアクセスを容易にするために、ＷＴＲＵ１０２ａ、１０２ｂ、１０２ｃ、１０２ｄのうちの少なくとも１つと無線でインターフェース接続するように構成された、任意のタイプのデバイスとすることができる。例として、基地局１１４ａ、１１４ｂは、基地送受信機局（ＢＴＳ）、ノードＢ、ｅノードＢ、ホームノードＢ、ホームｅノードＢ、サイトコントローラ、アクセスポイント（ＡＰ）、および無線ルータなどとすることができる。基地局１１４ａ、１１４ｂは、各々が、単一の要素として示されているが、基地局１１４ａ、１１４ｂは、任意の数の相互接続された基地局および／またはネットワーク要素を含むことができることが理解されよう。
【０００９】
基地局１１４ａは、ＲＡＮ１０４の部分とすることができ、ＲＡＮ１０４は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある、特定の地理的領域内において無線信号を送信および／または受信するように構成されることができる。セルは、さらにセルセクタに分割されることができる。例えば、基地局１１４ａと関連付けられたセルは、３つのセクタに分割されることができる。したがって、一実施形態においては、基地局１１４ａは、送受信機を３つ、すなわち、セルのセクタごとに１つずつ含むことができる。別の実施形態においては、基地局１１４ａは、多入力多出力（ＭＩＭＯ）技術を利用することができ、したがって、セルのセクタごとに複数の送受信機を利用することができる。
【００１０】
基地局１１４ａ、１１４ｂは、エアインターフェース１１６上において、ＷＴＲＵ１０２ａ、１０２ｂ、１０２ｃ、１０２ｄのうちの１つまたは複数と通信することができ、エアインターフェース１１６は、任意の適切な無線通信リンク（例えば、無線周波（ＲＦ）、マイクロ波、赤外線（ＩＲ）、紫外線（ＵＶ）、可視光など）とすることができる。エアインターフェース１１６は、任意の適切な無線アクセス技術（ＲＡＴ）を使用して確立されることができる。
【００１１】
より具体的には、上で言及されたように、通信システム１００は、多元接続システムとすることができ、ＣＤＭＡ、ＴＤＭＡ、ＦＤＭＡ、ＯＦＤＭＡ、およびＳＣ−ＦＤＭＡなどの、１つまたは複数のチャネルアクセス方式を利用することができる。例えば、ＲＡＮ１０４内の基地局１１４ａ、およびＷＴＲＵ１０２ａ、１０２ｂ、１０２ｃは、広帯域ＣＤＭＡ（ＷＣＤＭＡ）を使用してエアインターフェース１１６を確立することができる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１２】
別の実施形態においては、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインターフェース１１６を確立することができる、進化型ＵＭＴＳ地上無線アクセス（Ｅ−ＵＴＲＡ）などの無線技術を実施することができる。
【００１３】
他の実施形態においては、基地局１１４ａ、およびＷＴＲＵ１０２ａ、１０２ｂ、１０２ｃは、ＩＥＥＥ８０２．１６（すなわち、マイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭエボリューション用の高速データレート（ＥＤＧＥ）、およびＧＳＭ  ＥＤＧＥ（ＧＥＲＡＮ）などの無線技術を実施することができる。
【００１４】
図１Ａの基地局１１４ｂは、例えば、無線ルータ、ホームノードＢ、ホームｅノードＢ、またはアクセスポイントとすることができ、職場、家庭、乗物、およびキャンパスなどの局所化されたエリアにおける無線接続性を容易にするために、任意の適切なＲＡＴを利用することができる。一実施形態においては、基地局１１４ｂ、およびＷＴＲＵ１０２ｃ、１０２ｄは、ＩＥＥＥ８０２．１１などの無線技術を実施して、無線ローカルエリアネットワーク（ＷＬＡＮ）を確立することができる。別の実施形態においては、基地局１１４ｂ、およびＷＴＲＵ１０２ｃ、１０２ｄは、ＩＥＥＥ８０２．１５などの無線技術を実施して、無線パーソナルエリアネットワーク（ＷＰＡＮ）を確立することができる。また別の実施形態においては、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接的な接続を有することがある。したがって、基地局１１４ｂは、コアネットワーク１０６を介してインターネット１１０にアクセスする必要がないことがある。
【００１５】
ＲＡＮ１０４は、コアネットワーク１０６と通信することができ、コアネットワーク１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄのうちの１つまたは複数に提供するように構成された、任意のタイプのネットワークとすることができる。例えば、コアネットワーク１０６は、呼制御、請求サービス、モバイルロケーションベースのサービス、プリペイド通話、インターネット接続性、ビデオ配信などを提供することができ、および／またはユーザ認証など、高レベルのセキュリティ機能を実行することができる。図１Ａには示されていないが、ＲＡＮ１０４および／またはコアネットワーク１０６は、ＲＡＮ１０４と同じＲＡＴまたは異なるＲＡＴを利用する他のＲＡＮと直接的または間接的に通信することができることが理解されよう。例えば、Ｅ−ＵＴＲＡ無線技術を利用することができるＲＡＮ１０４に接続されるのに加えて、コアネットワーク１０６は、ＧＳＭ無線技術を利用する別のＲＡＮ（図示されず）とも通信することができる。
【００１６】
コアネットワーク１０６は、ＰＳＴＮ１０８、インターネット１１０、および／または他のネットワーク１１２にアクセスするための、ＷＴＲＵ１０２ａ、１０２ｂ、１０２ｃ、１０２ｄのためのゲートウェイとしての役割を果たすこともできる。ＰＳＴＮ１０８は、基本電話サービス（ＰＯＴＳ）を提供する回線交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークおよびデバイスからなるグローバルシステムを含むことができる。ネットワーク１１２は、他のサービスプロバイダによって所有および／または運営される有線または無線通信ネットワークを含むことができる。例えば、ネットワーク１１２は、ＲＡＮ１０４と同じＲＡＴまたは異なるＲＡＴを利用することができる１つまたは複数のＲＡＮに接続された、別のコアネットワークを含むことができる。
【００１７】
通信システム１００内のＷＴＲＵ１０２ａ、１０２ｂ、１０２ｃ、１０２ｄのいくつかまたはすべては、マルチモード機能を含むことができ、すなわち、ＷＴＲＵ１０２ａ、１０２ｂ、１０２ｃ、１０２ｄは、異なる無線リンク上において異なる無線ネットワークと通信するための複数の送受信機を含むことができる。例えば、図１Ａに示されるＷＴＲＵ１０２ｃは、セルラベースの無線技術を利用することができる基地局１１４ａと通信するように、またＩＥＥＥ８０２無線技術を利用することができる基地局１１４ｂと通信するように構成されることができる。
【００１８】
図１Ｂは、例示的なＷＴＲＵ１０２のシステム図である。図１Ｂに示されるように、ＷＴＲＵ１０２は、プロセッサ１１８と、送受信機１２０と、送信／受信要素１２２と、スピーカ／マイクロフォン１２４と、キーパッド１２６と、ディスプレイ／タッチパッド１２８と、非リムーバブルメモリ１３０と、リムーバブルメモリ１３２と、電源１３４と、全地球測位システム（ＧＰＳ）チップセット１３６と、他の周辺機器１３８とを含むことができる。ＷＴＲＵ１０２は、実施形態との整合性を保ちながら、上記の要素の任意のサブコンビネーションを含むことができることが理解されよう。
【００１９】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などとすることができる。プロセッサ１１８は、信号符号化、データ処理、電力制御、入力／出力処理、および／またはＷＴＲＵ１０２が無線環境で動作することを可能にする他の任意の機能性を実行することができる。プロセッサ１１８は、送受信機１２０に結合されることができ、送受信機１２０は、送信／受信要素１２２に結合されることができる。図１Ｂは、プロセッサ１１８と送受信機１２０を別個の構成要素として示しているが、プロセッサ１１８と送受信機１２０は、電子パッケージまたはチップ内に一緒に統合されることができることが理解されよう。
【００２０】
送信／受信要素１２２は、エアインターフェース１１６上において、基地局（例えば、基地局１１４ａ）に信号を送信し、または基地局から信号を受信するように構成されることができる。例えば、一実施形態においては、送信／受信要素１２２は、ＲＦ信号を送信および／または受信するように構成されたアンテナとすることができる。別の実施形態においては、送信／受信要素１２２は、例えば、ＩＲ、ＵＶ、または可視光信号を送信および／または受信するように構成された放射器／検出器とすることができる。また別の実施形態においては、送信／受信要素１２２は、ＲＦ信号および光信号の両方を送信および受信するように構成されることができる。送信／受信要素１２２は、無線信号の任意の組み合わせを送信および／または受信するように構成されることができることが理解されよう。
【００２１】
加えて、図１Ｂにおいては、送信／受信要素１２２は単一の要素として示されているが、ＷＴＲＵ１０２は、任意の数の送信／受信要素１２２を含むことができる。より具体的には、ＷＴＲＵ１０２は、ＭＩＭＯ技術を利用することができる。したがって、一実施形態においては、ＷＴＲＵ１０２は、エアインターフェース１１６上において無線信号を送信および受信するための２つ以上の送信／受信要素１２２（例えば、複数のアンテナ）を含むことができる。
【００２２】
送受信機１２０は、送信／受信要素１２２によって送信されることになる信号を変調し、送信／受信要素１２２によって受信された信号を復調するように構成されることができる。上で言及されたように、ＷＴＲＵ１０２は、マルチモード機能を有することができる。したがって、送受信機１２０は、ＷＴＲＵ１０２が、例えば、ＵＴＲＡおよびＩＥＥＥ８０２．１１など、複数のＲＡＴを介して通信することを可能にするための、複数の送受信機を含むことができる。
【００２３】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合されることができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。加えて、プロセッサ１１８は、非リムーバブルメモリ１３０および／またはリムーバブルメモリ１３２など、任意のタイプの適切なメモリから情報を入手することができ、それらにデータを記憶することができる。非リムーバブルメモリ１３０は、ランダムアクセスメモリ（ＲＡＭ）、リードオンリメモリ（ＲＯＭ）、ハードディスク、または他の任意のタイプのメモリ記憶デバイスを含むことができる。リムーバブルメモリ１３２は、加入者識別モジュール（ＳＩＭ）カード、メモリスティック、およびセキュアデジタル（ＳＤ）メモリカードなどを含むことができる。他の実施形態においては、プロセッサ１１８は、サーバまたはホームコンピュータ（図示されず）上などに配置された、ＷＴＲＵ１０２上に物理的に配置されていないメモリから情報を入手することができ、それらにデータを記憶することができる。
【００２４】
プロセッサ１１８は、電源１３４から電力を受け取ることができ、ＷＴＲＵ１０２内の他の構成要素への電力の分配および／または制御を行うように構成されることができる。電源１３４は、ＷＴＲＵ１０２に給電するための任意の適切なデバイスとすることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含むことができる。
【００２５】
プロセッサ１１８は、ＧＰＳチップセット１３６に結合されることもでき、ＧＰＳチップセット１３６は、ＷＴＲＵ１０２の現在ロケーションに関するロケーション情報（例えば、経度および緯度）を提供するように構成されることができる。ＧＰＳチップセット１３６からの情報に加えて、またはその代わりに、ＷＴＲＵ１０２は、基地局（例えば、基地局１１４ａ、１１４ｂ）からエアインターフェース１１６上においてロケーション情報を受信することができ、および／または２つ以上の近くの基地局から受信している信号のタイミングに基づいて、自らのロケーションを決定することができる。ＷＴＲＵ１０２は、実施形態との整合性を保ちながら、任意の適切なロケーション決定方法を用いて、ロケーション情報を獲得することができることが理解されよう。
【００２６】
プロセッサ１１８は、他の周辺機器１３８にさらに結合されることができ、他の周辺機器１３８は、追加的な特徴、機能性、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含むことができる。
【００２７】
図１Ｃは、実施形態による、ＲＡＮ１０４およびコアネットワーク１０６のシステム図である。上で言及されたように、ＲＡＮ１０４は、エアインターフェース１１６上においてＷＴＲＵ１０２ａ、１０２ｂ、１０２ｃと通信するために、Ｅ−ＵＴＲＡ無線技術を利用することができる。ＲＡＮ１０４は、コアネットワーク１０６と通信することもできる。
【００２８】
ＲＡＮ１０４は、ｅノードＢ１４０ａ、１４０ｂ、１４０ｃを含むことができるが、ＲＡＮ１０４は、実施形態との整合性を保ちながら、任意の数のｅノードＢを含むことができることが理解されよう。ｅノードＢ１４０ａ、１４０ｂ、１４０ｃは、各々が、エアインターフェース１１６上においてＷＴＲＵ１０２ａ、１０２ｂ、１０２ｃと通信するための１つまたは複数の送受信機を含むことができる。一実施形態においては、ｅノードＢ１４０ａ、１４０ｂ、１４０ｃは、ＭＩＭＯ技術を実施することができる。したがって、ｅノードＢ１４０ａは、例えば、複数のアンテナを使用して、ＷＴＲＵ１０２ａに無線信号を送信し、ＷＴＲＵ１０２ａから無線信号を受信することができる。
【００２９】
ｅノードＢ１４０ａ、１４０ｂ、１４０ｃの各々は、特定のセル（図示されず）に関連付けられることができ、無線リソース管理決定、ハンドオーバ決定、ならびにアップリンクおよび／またはダウンリンクにおけるユーザのスケジューリングなどを処理するように構成されることができる。図１Ｃに示されるように、ｅノードＢ１４０ａ、１４０ｂ、１４０ｃは、Ｘ２インターフェース上において互いに通信することができる。
【００３０】
図１Ｃに示されるコアネットワーク１０６は、モビリティ管理ゲートウェイ（ＭＭＥ）１４２と、サービングゲートウェイ１４４と、パケットデータネットワーク（ＰＤＮ）ゲートウェイ１４６とを含むことができる。上記の要素の各々は、コアネットワーク１０６の部分として示されているが、これらの要素のうちのいずれの１つも、コアネットワークオペレータとは異なるエンティティによって所有および／または運営されることができることが理解されよう。
【００３１】
ＭＭＥ１４２は、Ｓ１インターフェースを介して、ＲＡＮ１０４内のｅノードＢ１４０ａ、１４０ｂ、１４０ｃの各々に接続されることができ、制御ノードとしての役割を果たすことができる。例えば、ＭＭＥ１４２は、ＷＴＲＵ１０２ａ、１０２ｂ、１０２ｃのユーザの認証、ベアラアクティブ化／非アクティブ化、およびＷＴＲＵ１０２ａ、１０２ｂ、１０２ｃの初期接続中における特定のサービングゲートウェイの選択などを担うことができる。ＭＭＥ１４２は、ＲＡＮ１０４と、ＧＳＭまたはＷＣＤＭＡなどの他の無線技術を利用する他のＲＡＮ（図示されず）との間の交換のためのコントロールプレーン機能を提供することもできる。
【００３２】
サービングゲートウェイ１４４は、Ｓ１インターフェースを介して、ＲＡＮ１０４内のｅノードＢ１４０ａ、１４０ｂ、１４０ｃの各々に接続されることができる。サービングゲートウェイ１４４は、一般に、ユーザデータパケットのＷＴＲＵ１０２ａ、１０２ｂ、１０２ｃへの／からのルーティングおよび転送を行うことができる。サービングゲートウェイ１４４は、ｅノードＢ間ハンドオーバ中におけるユーザプレーンのアンカリング、ダウンリンクデータがＷＴＲＵ１０２ａ、１０２ｂ、１０２ｃに利用可能なときのページングのトリガ、ならびにＷＴＲＵ１０２ａ、１０２ｂ、１０２ｃのコンテキストの管理および記憶など、他の機能を実行することもできる。
【００３３】
サービングゲートウェイ１４４は、ＰＤＮゲートウェイ１４６に接続されることもでき、ＰＤＮゲートウェイ１４６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００３４】
コアネットワーク１０６は、他のネットワークとの通信を容易にすることができる。例えば、コアネットワーク１０６は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスとの間の通信を容易にすることができる。例えば、コアネットワーク１０６は、コアネットワーク１０６とＰＳＴＮ１０８との間のインターフェースとしての役割を果たすＩＰゲートウェイ（例えば、ＩＰマルチメディアサブシステム（ＩＭＳ）サーバ）を含むことができ、またはそれと通信することができる。加えて、コアネットワーク１０６は、ネットワーク１１２へのアクセスをＷＴＲＵ１０２ａ、１０２ｂ、１０２ｃに提供することができ、ネットワーク１１２は、他のサービスプロバイダによって所有および／または運営される他の有線または無線ネットワークを含むことができる。
【００３５】
他のネットワーク１１２は、さらに、ＩＥＥＥ８０２．１１ベースの無線ローカルエリアネットワーク（ＷＬＡＮ）１６０に接続されることができる。ＷＬＡＮ１６０は、アクセスルータ１６５を含むことができる。アクセスルータは、ゲートウェイ機能性を含むことができる。アクセスルータ１６５は、複数のアクセスポイント（ＡＰ）１７０ａ、１７０ｂと通信することができる。アクセスルータ１６５とＡＰ１７０ａ、１７０ｂとの間の通信は、有線イーサネット（ＩＥＥＥ８０２．３規格）、または任意のタイプの無線通信プロトコルを介することができる。ＡＰ１７０ａは、ＷＴＲＵ１０２ｄと、エアインターフェース上において無線通信する。
【００３６】
拡張型分散チャネルアクセス（ＥＤＣＡ）は、優先されるサービス品質（ＱｏＳ）をサポートするために、電気電子技術者協会（ＩＥＥＥ）８０２．１１において導入された、基本的な自律分散制御機構（ＤＣＦ）の拡張である。ＥＤＣＡは、媒体の競合ベースのアクセスをサポートする。キャリア検知多重アクセス／衝突回避（ＣＳＭＡ／ＣＡ）は、ＩＥＥＥ８０２．１１ランダムアクセスプロトコルであり、ランダムアクセスを試みるユーザ（例えば、無線送受信ユニット（ＷＴＲＵ）または局（ＳＴＡ））は、パケットを送信する前に、チャネルを測定して、それが空いているかどうかを決定する。このランダムアクセスプロトコルは、ＳＴＡが、チャネル上における衝突が発生する前に、それらを防止することによって、それらを低減させること、または排除することを可能にする。
【００３７】
集中制御機構（ＰＣＦ）は、制限時間があるサービスをサポートするために、競合なしのチャネルアクセスを使用し、ＡＰが、基本サービスセット（ＢＳＳ）内の各ＳＴＡにポーリングを行う。ＰＣＦを使用する場合、ＡＰは、ＰＣＦフレーム間間隔（ＰＩＦＳ）だけ待機した後、ポーリングメッセージを送信することができる。クライアントが、送信すべきものを有さない場合、クライアントは、ヌルデータフレームを返すことができる。ハイブリッド制御機構（ＨＣＦ）制御チャネルアクセス（ＨＣＣＡ）は、ＰＣＦの機能強化であり、ＡＰは、競合期間（ＣＰ）中および競合なし期間（ＣＦＰ）中の両方において、ＳＴＡにポーリングを行うことができる。ＨＣＣＡを使用する場合、ＡＰは、１つのポーリングの下で、複数のフレームを送信することができる。
【００３８】
ＥＤＣＡおよびＣＳＭＡ／ＣＡなど、現在のＩＥＥＥ８０２．１１仕様書において定義された競合ベースのチャネルアクセスのためのメカニズムは、一度に１つのＳＴＡが媒体にアクセスすることを許可するだけである。基本サービスセット（ＢＳＳ）内のＳＴＡの残りは、チャネルアクセスを延期し、チャネル媒体が空くのを待機する必要があることがある。言い換えると、マルチユーザ同時ランダムアクセスは、現在のＩＥＥＥ８０２．１１仕様書においてはサポートされない。既存のシングルユーザランダムアクセス方式は、非効率的であり、マルチユーザ（ＭＵ）同時ランダムアクセスと比較して、著しいシステム遅延を導入することがある。本明細書においては、ＭＵ同時ランダムアクセスのためのメカニズムを提供する実施形態が、説明される。
【００３９】
シングルユーザ同時ランダムアクセスに関する現在のＩＥＥＥ８０２．１１仕様書の制限に加えて、現在のＩＥＥＥ８０２．１１仕様書は、例えば、高密度シナリオにおいて、ユーザに高いサービス品質を提供しない。しかしながら、多様な無線ユーザのために、高効率無線ローカルエリアネットワーク（ＨＥＷ）使用シナリオについての機能強化が、検討されており、それは、例えば、２．４ＧＨｚおよび５ＧＨｚ帯域などにおける高密度使用シナリオ、ならびに無線リソース管理（ＲＲＭ）技術を含む。ＨＥＷの潜在的な用途は、スタジアムイベントのためのデータ配信などの新たな使用シナリオ、鉄道駅または企業／店舗環境などにおける高ユーザ密度シナリオ、ならびに証拠が示すように、ビデオ配信および医療用途の無線サービスなどの、それに対する依存度がますます高まっている使用シナリオを含む。多くのＳＴＡを有する密なネットワークが存在するシナリオにおいては、ランダムアクセス手順は、すべてのＳＴＡが同時にネットワークにアクセスしたせいで、機能停止することがある。
【００４０】
同様に、様々な用途についての測定されたトラフィックは、短いパケットである大きな可能性を有し、短いパケットを発生させることができるネットワーク用途も存在するという証拠が、提供された。そのような用途は、例えば、仮想オフィス、送信電力制御（ＴＰＣ）確認応答（ＡＣＫ）用途、ビデオストリーミングＡＣＫ用途、デバイス／コントローラ用途（例えば、マウス、キーボード、およびゲームコントロール）、ネットワーク選択用途（例えば、プローブ要求、およびアクセスネットワーククエリプロトコル（ＡＮＱＰ））、ならびにネットワーク管理用途（例えば、制御フレーム）を含むことができる。
【００４１】
サイズが小さいパケットまたは時間的制約のあるパケットが殺到するアップリンク（ＵＬ）送信においては、そのようなデータを用いてＳＴＡを識別し、それらをスケジュールするのに必要とされる、典型的なＯＦＤＭまたはＯＦＤＭＡ送信におけるオーバヘッドは、送信のオーバヘッドのせいで、性能低下をもたらすことがある。本明細書において説明される実施形態は、ＯＦＤＭＡランダムアクセスチャネル（ＲＡＣＨ）アクセスを使用して、このタイプのトラフィックの効率的な送信を可能にすることができる。多くのＳＴＡが存在するシナリオにおいては、そのような実施形態は、異なるＳＴＡの送信間におけるＯＦＤＭＡ  ＲＡＣＨ衝突を制限すること、または排除することもできる。
【００４２】
より具体的には、本明細書において説明される実施形態においては、基地局またはアクセスポイント（ＡＰ）は、マルチユーザチャネルアクセスのためのトリガフレームを伝達することができる。以下で詳細に説明されるように、トリガフレームは、ＵＬ  ＭＵ物理レイヤ収束プロトコル（ＰＬＣＰ）プロトコルデータユニット（ＰＰＤＵ）（例えば、ＭＵ−多入力多出力（ＭＩＭＯ）またはＯＦＤＭＡ）を送信するように、ＳＴＡをトリガすることができる。ＵＬ  ＭＵ  ＰＰＤＵは、複数のＷＴＲＵまたはＳＴＡが異なるタイプのフレームを送信することができる、定義されたリソースユニット（ＲＵ）のセット内において送信されることができる。実施形態においては、ＲＵのうちの少なくともいくつかが、ランダムアクセスのために指定されることができる。いくつかの実施形態においては、例えば、多くの時間的制約のあるパケットまたはサイズが小さいパケットが、ネットワークまたはＢＳＳ内において同時に送信されているシナリオに対処するために、ＴｘＯＰごとに、単一のトリガフレームが、伝達されることができ、またはＴｘＯＰごとに、一連のカスケードトリガフレームが、伝達されることができる。
【００４３】
例として、２０ＭＨｚ帯域上において動作するＯＦＤＭＡ  ＵＬ  ＭＵ  ＰＤＤＵの場合、ＯＦＤＭＡ  ＵＬ  ＭＵ応答送信のためのビルディングブロックは、図２Ａに示されるロケーションにおいて、２つのパイロットを有する２６トーン、４つのパイロットを有する５２トーン、ならびに４つのパイロットと７つのＤＣヌルおよび（６，５）ガードトーンとを有する１０６トーンとして定義されることができる。ＯＦＤＭＡ  ＰＰＤＵは、各２４２トーンユニット境界内において、異なるトーンユニットサイズの混合を搬送することができる。同様のビルディングブロックが、４０ＭＨｚ、８０ＭＨｚ、１６０ＭＨｚ、および８０＋８０ＭＨｚのために定義される。
【００４４】
トリガフレームは、ＵＬ  ＭＵ送信を同期させ、スケジュールするために使用されることができ、上で言及されたように、異なる目的に役立てることができる。この目的で、システムの異なる機能に対処することができる異なるタイプのトリガフレームが、存在することができる。さらに、トリガフレームは、ＵＬ  ＭＵランダムアクセスおよび／または専用送信をトリガするために、使用されることができる。そのようにする際、それは、ＵＬ送信の同期または時間／周波数アライメントを容易にすることもできる。
【００４５】
スケジュールされたアクセスの場合、トリガフレームは、プリアンブル内のＨＥ−ＳＩＧ−Ｂフィールド内に、ＳＴＡおよびそれらのリソースユニット（ＲＵ）割り当て、ならびにＳＴＡごとの送信パラメータを指定することができる。ＨＥ−ＳＩＧ−Ｂフィールドは、ユーザ固有フィールドが後続する共通フィールドを有することができる。共通フィールドは、指定されたＳＴＡのすべてが、対応する帯域幅内においてＰＰＤＵを受信するための情報を含むことができる。ユーザ固有フィールドは、共通フィールドに属さない複数のサブフィールドを含むことができ、サブフィールドのうちの１つまたは複数のものは、指定された各受信ＳＴＡ用とすることができる。ユーザ固有フィールドの例は、局ＩＤ（ＳＴＡＩＤ）を含むことができる。ＲＵ内におけるシングルユーザ割り当ての場合、ユーザ固有フィールドの例は、数々の空間ストリーム（ＮＳＴＳ）フィールド、送信ビームフォーミング（ＴｘＢＦ）フィールド、変調および符号化方式（ＭＣＳ）フィールド、（例えば、低密度パリティチェック（ＬＤＰＣ）の使用を指定する）デュアルサブキャリア変調（ＤＣＭ）および符号化フィールドを含むことができる。ＲＵ内におけるマルチユーザ割り当て内の各ユーザについて、ユーザ固有フィールドの例は、空間構成フィールド、ＭＣＳフィールド、ＤＣＭフィールド、および符号化フィールドを含むことができる。ＨＥ−ＳＩＧ−Ｂフィールド２２００の例が、図２Ｂに提供されている。
【００４６】
実施形態においては、トリガフレームは、ユニキャストフレーム、またはブロードキャスト／マルチキャストフレームとすることができる。ユニキャストトリガフレームは、単一の専用受信機アドレスを有することができる。ＨＥ−ＳＩＧ−Ａおよび／またはＨＥ−ＳＩＧ−Ｂフィールド内において搬送される情報に基づいて、意図されていないＳＴＡは、ユニキャストトリガフレームの残りの部分を監視することを必要としなくてよい。ブロードキャスト／マルチキャストトリガフレームは、単一の専用受信機アドレスを有さなくてよい。代わりに、それは、受信ＳＴＡからなる専用またはランダムグループを有することができる。フレームは、スケジューリングおよび／またはリソース割り当て情報を搬送することができる。送信の範囲内にいるすべてのＳＴＡが、送信を監視する必要があることがある。ブロードキャスト／マルチキャストトリガフレームの例は、ランダムアクセスのためのトリガフレーム、および１つまたは複数のＳＴＡのためのＵＬ  ＭＵ送信をスケジュールすることができるトリガフレームを含むことができる。
【００４７】
実施形態においては、トリガフレームは、媒体アクセス制御（ＭＡＣ）レイヤにおいて、または集約ＭＡＣ  ＰＤＵ（Ａ−ＭＰＤＵ）のフォーマットにおいて、他のデータフレーム、制御フレーム、または管理フレームとともに集約されることができる。このように、トリガフレームは、他のフレームと同じＭＣＳを使用することができる。トリガフレームをより良く保護するために、トリガフレームは、Ａ−ＭＰＤＵフォーマットにおける最初のいくつかのＭＰＤＵのうちの最初のＭＰＤＵとして、割り当てられることができ、またはトリガフレームは、Ａ−ＭＰＤＵにおいて、繰り返されることができる。繰り返されるトリガフレームＭＰＤＵは、Ａ−ＭＰＤＵにおいて、隣接して割り当てられることができ、または隣接して割り当てられなくてよい。実施形態においては、トリガフレームの元のバージョンおよび繰り返しバージョンは、正確に同じとすることができ、バージョンインデックスは、ＭＰＤＵデリミタ内において伝達されることができ、またはバージョンインデックスは、各ＭＰＤＵ内において（例えば、フレーム制御フィールドを使用して）伝達されることができる。
【００４８】
トリガフレームは、ＤＬ  ＯＦＤＭＡモードまたはＤＬ  ＭＵ−ＭＩＭＯモードなどのＤＬ  ＭＵモードにおいて、任意のタイプの他のフレームとともに送信されることができる。あるいは、トリガフレームは、従来のシングルユーザ（ＳＵ）ＯＦＤＭモードを使用して、送信されることができる。
【００４９】
実施形態においては、トリガフレームは、先行するＵＬ  ＭＵフレームのアクノリジメントとすることができ、またはトリガフレームは、アクノリジメントフレームとともに集約されることができる。実施形態においては、トリガフレームまたは集約されたトリガフレームは、物理レイヤアクノリジメントを搬送することができる。実施形態においては、トリガフレームは、アソシエーション識別子（ＡＩＤ）を用いずにＳＴＡをトリガすることを可能にされることができる。
【００５０】
図３Ａおよび図３Ｂは、それぞれ、ＭＵランダムアクセスのための例示的なトリガフレーム３００Ａ、３００Ｂを示す図である。両方の示された例において、トリガフレームは、統一されたフォーマットを有することができ、それは、フレーム制御フィールド（ＦＣ）３０２ａ、３０２ｂと、持続時間フィールド３０４ａ、３０４ｂと、アドレス１（Ａ１）フィールド３０６ａ、３０６ｂと、アドレス２（Ａ２）フィールド３０８ａ、３０８ｂと、共通情報フィールド３１０、３２６と、１つまたは複数のユーザ固有情報フィールド３１２、３１４、３１６、３２８と、ＦＣＳフィールド３２６ａ、３２６ｂとを含む。以下でより詳細に説明されるように、トリガフレーム３００Ａは、共通情報フィールド３１０内に、アクノリジメント／ブロックアクノリジメント（ＡＣＫ／ＢＡ）情報を含むことができ、一方、トリガフレーム３００Ｂは、共通情報フィールド３２６とは別のＡＣＫ／ＢＡ情報フィールド３３８を含むことができる。トリガフレーム３００Ｂのフレーム構造は、ＡＣＫ／ＢＡ情報フィールド３３８が、その特定のトリガフレームのためにそれが必要とされるかどうかに応じて、フレーム内に含まれること、またはフレームから省かれることを、それが可能にすることができる点で、追加された柔軟性を提供することができる。
【００５１】
両方の例示的なトリガフレームについて、ＦＣフィールド３０２ａ、３０２ｂは、フレーム３００Ａ、３００Ｂがトリガフレームであることを示すために、使用されることができる。持続時間フィールド３０４ａ、３０４ｂは、割り当てられたＳＴＡのためのＵＬ送信を、トリガフレームにおいて指定されたＲＵ上において送信することが、その間、許可される、推定された時間持続になるように設定されることができる。推定された時間持続は、マイクロ秒（ｍｓ）など、ある単位で表すことができる。トリガフレームを受信した意図されていないＳＴＡは、信号保護または複数の保護のために、ＮＡＶ値を設定することができる。Ａ１フィールド３０６ａ、３０６ｂは、トリガフレームがブロードキャストもしくはマルチキャストフレームである場合は、ブロードキャストアドレスもしくはグループアドレスになるように、またはトリガフレームがユニキャストフレームである場合は、専用受信機ＭＡＣアドレスになるように、設定されることができる。Ａ２フィールド３０８ａ、３０８ｂは、ＡＰのＭＡＣアドレスなど、ＡＰと関連付けられた基本サービスセットＩＤ（ＢＳＳＩＤ）になるように、設定されることができる。
【００５２】
トリガフレーム３００Ａ、３００Ｂの両方について、共通情報フィールド３１０、３２６は、シーケンス番号および／もしくはトリガトークン、共通の送信電力制御（ＴＰＣ）インデックス、共通の同期情報、次回のＳＩＧ情報、トリガフレームおよび／もしくはビーコン系列と関連付けられた時間同期機能（ＴＳＦ）の値、ＰＳ−ＰＯＬＬ情報についての最終トリガ、ならびに／またはスケジュールされたＵＬフレームのＵＬプリアンブルに関連する情報など、異なるタイプの情報を含むことができる。
【００５３】
シーケンス番号および／またはトリガトークンは、トリガフレームおよび／または次回のＵＬ  ＭＵ送信を要請するために、使用されることができる。ＲＵインデックスとともに、この情報は、ＡＩＤまたは他のタイプのＳＴＡ  ＩＤを使用せずに、ＳＴＡを識別するために、使用されることができる。あるいは、この情報は、ユーザ固有情報フィールド内に含まれることができる。いくつかの実施形態においては、この情報は、利用されているトリガタイプおよび／またはランダムアクセスタイプに応じて、省かれてよい。
【００５４】
ＴＰＣインデックスは、オープンループおよび／またはクローズドループＴＰＣのために、ＳＴＡによって使用されることができるＴＰＣ情報を示すことができる。例えば、インデックスは、現在のトリガフレームを送信するために使用された送信電力インデックス、および／または複数のＳＴＡが受信電力をそれによってアラインすることができる、ＡＰにおける所望／予想される受信電力インデックスを含むことができる。
【００５５】
共通の同期情報は、タイミングおよび／または周波数オフセット補正情報を含むことができる。次回のＳＩＧ情報は、次回のＵＬ  ＭＵ送信におけるＬ−ＳＩＧおよび／またはＨＥ−ＳＩＧ−Ａフィールドを設定するための情報を含むことができる。
【００５６】
トリガフレームおよび／またはビーコン系列と関連付けられたＴＳＦの値に関して、トリガフレームは、目標待機時間（ＴＷＴ）対応ＳＴＡのタイミング同期機能（ＴＳＦ）を調整するためにビーコンを監視しなくてよい、目標待機時間（ＴＷＴ）対応ＳＴＡをスケジュールするために、使用されることができる。ＴＳＦ情報は、ＳＴＡが、それのクロックドリフトを補正して、将来のＴＷＴと同期させることを可能にすることができる。ビーコン系列は、システム情報が変化したこと、およびＳＴＡがビーコンを再読取りする必要があることを示すことができる。ＳＴＡは、ＳＴＡが後のユーザ固有情報フィールド３１２、３１４、３１６、３２８においてアドレス指定されているかどうかにかかわらず、この情報を使用することができる。
【００５７】
ＰＳ−Ｐｏｌｌ情報についての最終トリガに関して、トリガフレームは、バッファされたダウンリンク（ＤＬ）データをＴＷＴ対応ＳＴＡが有するかどうかを知るためにビーコントラフィック表示マップ（ＴＩＭ）情報を監視しなくてよい、ＴＷＴ対応ＳＴＡをスケジュールするために、使用されることができる。ＵＬデータを有せず、それがＴＷＴサービス期間（ＳＰ）のＵＬ  ＰＳ−Ｐｏｌｌをスケジュールする最終トリガフレームであることを示すトリガフレームを受信した、ＳＴＡは、ＴＷＴ  ＳＰの残りの間、スリープに入ることができる。あるいは、ＰＳ−ＰＯＬＬ情報についての最終トリガは、対応するトリガタイプおよびランダムアクセスタイプとともに、ユーザ固有情報フィールド内に含まれることができる。
【００５８】
スケジュールされたＵＬフレームのＵＬプリアンブルに関連する情報に関して、レガシＯＦＤＭシンボルのためのＯＦＤＭＡは、存在しないことがあるので、すべてのスケジュールされたＳＴＡは、互いに同一のＨＥ−ＳＩＧ−Ａを構成する必要があることがある。この情報は、スケジュールされたＵＬフレームについてのＢＡ、またはカスケード系列内の次のトリガフレームなど、スケジュールされたＵＬフレームの直後のＤＬフレームの保護のために必要とされる情報を含むことができる。例えば、ＡＰは、スケジュールされたＵＬ送信の直後の計画されたＤＬフレームの長さに基づいて、ＵＬプリアンブル内のＲＩＤがどのように設定されるべきかを命令することができる。
【００５９】
スケジュールされたＵＬフレームのＵＬプリアンブルに関連する情報は、ランダムアクセスに加えられるＡＰに対する制約についての情報を提供することができるトラフィック要件を含むこともできる。トラフィック要件は、１もしくは複数のトラフィックＩＤ（ＴＩＤ）、１もしくは複数のＥＤＣＡアクセスカテゴリ、または１もしくは複数のトラフィックカテゴリ（ＴＣ）とすることができる。この情報は、実施形態において、例えば、１つまたは複数のＴＩＤまたはＡＣを示すために、ハッシュもしくはビットマップまたは組み合わせとして実施されることができる、フィールド内に含まれることができる。
【００６０】
上で言及されたように、トリガフレーム３００Ａは、共通情報フィールド３１０内にＡＣＫ／ＢＡ情報を含み、それは、トリガフレームが、先に送信されたＵＬフレームについてのアクノリジメントを含むかどうかを示すことができ、ＭＡＣ  ＡＣＫ／ＢＡ情報、および／またはＰＨＹ  ＡＣＫ／ＢＡ情報を含むことができる。ＭＡＣ  ＡＣＫ／ＢＡ情報は、搬送された１つまたは複数のアクノリジメントが、ＭＡＣ  ＡＣＫ／ＢＡであることを示すことができ、それは、ＡＣＫ／ＢＡがアクノリジメントする対応するデータ送信のＳＴＡのＡＩＤになるように設定されることができる、ＡＩＤフィールドを含むことができる。ＭＡＣ  ＡＣＫ／ＢＡ情報は、示されたＡＩＤを有するＳＴＡからの先の送信のための通常のＡＣＫまたはＢＡフィールドとして設定されることができる、ＡＣＫ／ＢＡ情報を含むこともできる。ＰＨＹ  ＡＣＫ／ＢＡ情報は、搬送された１つまたは複数のアクノリジメントが、ＰＨＹ  ＡＣＫ／ＢＡであることを示すことができ、それは、ＡＩＤまたはＭＡＣ  ＩＤなどのＳＴＡ  ＩＤを含まなくてよい。代わりに、それは、ある１つまたは複数のＲＵ上における送信が成功したかどうかを示すことができる。ＰＨＹ  ＡＣＫ／ＢＡ情報は、ＲＵを識別するために使用されることができるＲＵインデックスと、ＲＵ上において搬送された情報が正常にデコードされたかどうかを示すことができるＡＣＫ情報とを含むことができる。実施形態においては、ＰＨＹ  ＡＣＫ／ＢＡフィールドは、ビットマップとすることができ、各ビットは、ＲＵに対応するＡＣＫ／ＮＡＣＫとすることができる。
【００６１】
トリガフレーム３００Ｂについて、共通情報フィールド３２６は、ＡＣＫ／ＢＡ情報を含み、それは、ＡＣＫ／ＢＡ情報フィールド３３８がトリガフレーム３００Ｂ内に存在するかどうかを示す。フレーム３００Ｂは、さらに、トリガフレーム内の後のほうに、ＡＣＫ／ＢＡ情報３３８を含む。ＡＣＫ／ＢＡ情報３２６は、図３Ｂに詳細に示されている。ＡＣＫ／ＢＡ情報３２６が、設定されている場合、それは、図３Ｂに示されるように、ＭＡＣ  ＡＣＫ／ＢＡサブフィールドまたはＰＨＹ  ＡＣＫ／ＢＡサブフィールドを伴って存在することができる。ＭＡＣ  ＡＣＫ／ＢＡが、存在する場合、ＡＣＫ／ＢＡ情報３３８は、ＡＩＤサブフィールド３４０と、ＢＡ／ＡＣＫサブフィールド３４２とを含むことができる。ＡＩＤサブフィールド３４０は、ＡＣＫ／ＢＡ情報を有するＳＴＡのＡＩＤになるように設定されることができる。ＡＣＫ／ＢＡサブフィールド３４２は、そのＡＩＤがＡＩＤサブフィールド３４０において示されるＳＴＡからの先の送信についての通常のＡＣＫまたはＢＡフィールドとして、設定されることができる。ＰＨＹ  ＡＣＫ／ＢＡが、存在する場合、搬送される１つまたは複数のアクノリジメントは、ＰＨＹ  ＡＣＫ／ＢＡとすることができ、それは、ＡＩＤ、ＭＡＣ  ＩＤなどのＳＴＡ  ＩＤを含まなくてよい。代わりに、それは、あるＲＵ上における送信が成功したかどうかを示すことができる。ＰＨＹ  ＡＣＫ／ＢＡの場合、ＡＣＫ／ＢＡ情報３３８は、ＲＵインデックスサブフィールド３４４と、ＢＡ／ＡＣＫサブフィールド３４６とを含むことができる。ＲＵインデックスサブフィールド３４４は、アクノリジメントされる送信がその上において送信されたＲＵを識別するために、使用されることができる。ＢＡ／ＡＣＫサブフィールド３４６は、ＲＵ上において搬送された情報が正常にデコードされたかどうかを示すために、設定されることができる。あるいは、ＰＨＹ  ＡＣＫ／ＢＡフィールドは、ビットマップとすることができ、ビットマップ内の各ビットは、特定のＲＵに対応するＡＣＫ／ＮＡＣＫとすることができる。
【００６２】
ユーザ情報フィールド３１２、３１４、３１６、２３８の各々は、トリガされる各ＳＴＡそれぞれに固有の情報を含むことができる。いくつのＳＴＡがトリガされるかに応じて、図３Ａおよび図３Ｂに示されるよりも多いまたは少ないユーザ情報フィールドが、トリガフレーム内に含まれることができる。ユーザ情報フィールド３１２、３１４、３１６、３２８の各々は、いくつかのサブフィールドを含むことができ、それらは、ＳＴＡ  ＩＤまたはＡＩＤサブフィールド３１８ａ、３１８ｂと、ＲＵ割り当てサブフィールド３２０ａ、３２０ｂと、トリガタイプサブフィールド３２２ａ、３２２ｂと、トリガ情報サブフィールド３２４ａ、３２４ｂとを含むことができる。
【００６３】
ＳＴＡ  ＩＤまたはＡＩＤサブフィールド３１８ａ、３１８ｂは、数々の異なる方法で、設定されることができる。単一のユーザまたはＳＴＡが、トリガされるという条件において、このフィールドは、受信者のＡＩＤまたは他のタイプのＳＴＡ  ＩＤになるように設定されることができる。まだＡＰとアソシエーションを行っていないＳＴＡ、またはＳＴＡ  ＩＤを搬送しないショートフレームを使用してＵＬ  ＴｘＯＰを要求したＳＴＡなど、単一のユーザがＡＩＤを用いずにトリガされるという条件において、このサブフィールドは、ＲＵインデックスと、シーケンス番号および／またはトリガトークンとの関数になるように設定されることができる。ここで、シーケンス番号および／またはトリガトークンは、過去における特定のＵＬ  ＭＵ送信を識別するために、使用されることができ、ＲＵインデックスは、そのＵＬ  ＭＵ送信内において使用されるＲＵを識別するために、使用されることができる。このようにして、ＵＬ  ＭＵ送信のＲＵにおいて送信したＳＴＡが、識別されることができる。割り当てられたＲＵ上においてＭＵ−ＭＩＭＯが使用されなどする、ユーザ／ＳＴＡのグループについて、グループは、特定のＲＵまたは複数のＲＵ上において、トリガされることができ、このサブフィールドは、グループを示すことができるグループＩＤ、マルチキャストＡＩＤ、または他のタイプのＩＤになるように設定されることができる。制約のないランダムアクセスがトリガされるという条件において、このサブフィールドは、ブロードキャストＩＤになるように設定されることができる。制約のあるランダムアクセスがトリガされるという条件において、このサブフィールドは、グループを示すことができるグループアドレス、マルチキャストＡＩＤ、または他の任意のタイプのＩＤになるように設定されることができる。
【００６４】
ＲＵ割り当てサブフィールド３２０ａ、３２０ｂは、１つまたは複数のＲＵをユーザ／ＳＴＡに割り当てるために、使用されることができる。
【００６５】
トリガタイプサブフィールド３２２ａ、３２２ｂは、識別された特定のユーザのためのトリガのタイプを識別することができる。例えば、トリガは、専用されることができ、それは、ユーザのために専用送信がトリガされていることを示すことができる。ここで、トリガされる送信は、データ、制御、または管理フレーム送信とすることができる。別の例として、トリガは、ランダムであることができ、それは、ランダムアクセス送信がトリガされていることを示すことができる。別の例を挙げると、トリガは、継承されることができ、それは、トリガタイプが、別のおよび／または先行するフレームタイプ（例えば、管理フレーム）から継承されることを示すことができる。別の例として、トリガタイプは、混合されることができ、それは、トリガフレームが、専用送信およびランダムアクセス送信を含む送信をトリガすることを示すことができる。例えば、トリガフレームは、１つまたは複数の無線ベアラ（ＲＢ）またはチャネル上において送信するように、（例えば、含まれるＳＴＡのＩＤ、および割り当てられたリソースによって）１つまたは複数のＳＴＡを明示的にトリガすることができる。加えて、トリガフレームは、１つまたは複数の他のＲＢまたはチャネル上においてランダムアクセスを使用して送信するように、１つまたは複数のＳＴＡをトリガすることができる。
【００６６】
トリガタイプの別の例を挙げると、トリガタイプサブフィールドは、ヌルデータパケット（ＮＤＰ）フレーム（プリアンブルのみ）を示すことができ、それは、ＳＴＡまたはＳＴＡのグループに、それが、いかなるＭＡＣボディも含まなくてよいＮＤＰフレームを送信することができることを示すことができる。実施形態においては、このトリガタイプは、カスケード系列内における将来のトリガフレームを保護するために、使用されることができる。実施形態においては、空間再使用と保護との間にはトレードオフが存在するので、ＡＰは、例えば、カスケード系列内において、どれだけ早期に、将来のトリガフレーム保護を伝達すべきかを決定することができる。同様に、このトリガタイプは、レガシ重複基地局サブシステム（ＯＢＳＳ）ＳＴＡからの保護のために、共通の送信可（ＣＴＳ）の送信をトリガすることができる。
【００６７】
図４Ａは、ＮＤＰタイプトリガによって除かれることができる衝突を引き起こすことがある、潜在的なシナリオを示すシステム図４００Ａである。図４Ａに示される例においては、ＳＴＡ４０５ａ、４１０ａは、カスケードトリガフレームの系列内の第１のトリガフレーム４３５ａにおいて示される、スケジュールされたＲＵ、および送信の長さに基づいて、または第１のトリガフレーム４３５ａ内の割り当てられたＲＵを使用するランダムアクセス方法で、ＡＰ４１５ａに、それぞれＵＬフレーム４４０ａ、４４２ａを送信することができる。ＯＢＳＳ  ＳＴＡ４２５ａは、ＡＰ４１５ａ、またはＳＴＡ４０５ａ、４１０ａを聴取することができず、それは、フレーム４５０ａをＯＢＳＳ  ＡＰ４３０ａに送信する。ＡＰ４１５ａは、ＯＢＳＳ  ＳＴＡ４２５ａの送信４５０ａに気付かないことがあり、トリガフレーム４４５ａを別のＳＴＡ４２０ａに送信することがある。図５に示されるように、このシナリオにおいては、トリガフレーム４４５ａは、ＳＴＡ４２０ａにおいて、ＯＢＳＳ  ＳＴＡ４２５ａの送信４５０ａと衝突することがある。
【００６８】
図４Ｂは、ＮＤＰタイプトリガの使用が、図４Ａの潜在的なシナリオにおける衝突をいかにして防止することができるかを示す、システム図４００Ｂである。図４Ｂに示される例においては、ＡＰ４１５ｂは、ＳＴＡ４０５ｂ、４１０ｂからのデータフレーム送信４４０ｂ、４４２ｂもスケジュールする第１のトリガフレーム４３５ｂにおいて、ＳＴＡ４２０ｂからのＮＤＰフレーム送信４１７をスケジュールすることができる。ＮＤＰフレーム４１７は、ＨＥ−ＳＩＧ−Ａにおいて終了することができ、ＳＴＡ４０５ｂ、４１０ｂのＵＬ送信４４０ｂ、４４２ｂに後続する予想される１つまたは複数のＤＬ応答の長さを示す応答表示（ＲＩＤ）を含むことができる。ＯＢＳＳ  ＳＴＡ４２５ｂが、ＳＴＡ４２０ｂからのＮＤＰフレーム４１７を聴取するという条件において、ＯＢＳＳ  ＳＴＡ４２５ｂは、ＲＩＤ情報を使用して、チャネルアクセスを延期することができ、それが、ＳＴＡ４２５ｂにおいて、ＤＬトリガフレーム４４５ｂの受信と干渉しないようにする。続くＳＴＡ４２０ｂからのＵＬデータフレーム送信において、プリアンブル内のＲＩＤは、ＳＴＡ４２０ｂがそれの送信についてのアクノリジメントを受信するための保護を拡張するために、任意の必要な情報を含むことができる。
【００６９】
図３Ａおよび図３Ｂを再び参照すると、ユーザ情報フィールド３１２、３１４、３１６、３２８のトリガ情報サブフィールド３２４ａ、３２４ｂは、詳細なトリガリング情報を含むことができ、例えば、トリガフレームタイプに応じて、可変サイズを有することができる。
【００７０】
トリガタイプが、専用トリガであるという条件において、トリガ情報サブフィールド３２４ａ、３２４ｂは、専用アクセスタイプ、ＭＣＳ、空間ストリームの数（Ｎｓｓ）もしくは空間時間ストリームの数（Ｎｓｔｓ）、送信電力制御情報、タイミング補正情報、周波数補正情報、ある単位による最大パケットサイズ（例えば、ＯＦＤＭシンボル単位の次回のＵＬ  ＰＰＤＵ長、もしくはバイト単位の次回のＵＬ  ＭＰＤＵもしくはＡ−ＭＰＤＵサイズ）、符号化方式（ＢＣＣもしくはＬＤＰＣ）ＡＣＫポリシ、ガードインターバルサイズ、ＨＥ−ＬＴＦタイプ、次回のＵＬ送信におけるＨＥ−ＬＴＦの数、および／またはＨＥ−ＳＩＧ−Ａタイプを含むことができる。専用アクセスタイプに関して、例えば、以下の専用アクセスタイプ、すなわち、アクノリジメントのための専用アクセス（Ｄ−ＡＣＫ）、およびトラフィックポーリングのための専用アクセス（Ｄ−ＴＰ）のうちのいずれかが、定義されることができる。専用トリガフレームのＤ−ＴＰタイプは、トラフィック情報およびステータスを求めてＳＴＡにポーリングを行うために、ＡＰによって使用されることができる。トリガタイプは、ＳＴＡ固有であることもでき、送信するようにトリガされる特定のＳＴＡのＩＤが、トリガフレーム内に明示的または暗黙的に含まれることができる。
【００７１】
トリガタイプが、ランダムトリガであるという条件において、トリガ情報サブフィールド３２４ａ、３２４ｂは、ランダムアクセスタイプ、および／またはランダムトリガボディを含むことができる。ランダムアクセスタイプに関して、例えば、以下のランダムアクセスタイプ、すなわち、初期リンクセットアップのためのランダムアクセス（Ｒ−Ｉｎｉｔｉａｌ）、電力節約ＳＴＡのためのランダムアクセス（Ｒ−ＰＳ）、トラフィックポーリングのためのランダムアクセス（Ｒ−ＴＰ）、または時間的制約のある少量データ送信のためのランダムアクセス（Ｒ−ＳＤ）のうちのいずれかが、定義されることができる。トリガフレームのＲ−Ｉｎｉｔｉａｌランダムアクセスタイプは、ＡＰとアソシエーションを行うことを試みることができるＳＴＡをトリガするために、使用されることができる。トリガフレームのＲ−ＰＳランダムアクセスタイプは、スリープモードからウェイクアップすることができるＳＴＡのために、使用されることができる。トリガフレームのＲ−ＴＰランダムアクセスタイプは、トラフィック情報およびステータスを求めてＳＴＡにポーリングを行うために、ＡＰによって使用されることができる。トリガフレームのＲ−ＳＤランダムアクセスタイプは、高速ＵＬ少量データ送信のためのタイムスロットを割り当てるために、ＡＰによって使用されることができる。トリガボディは、トリガフレームのための定義されたランダムアクセスタイプに応じて、サイズが変化することができるサブフィールドとすることができる。
【００７２】
図３Ａに示されるトリガフレームは、ＡＰが、異なるタイプの送信をトリガすることを可能にすることができる。例えば、ＡＰは、９つのＲＵを有する２０ＭＨｚチャネルを有することができる。ＡＰは、例えば、ユーザ情報フィールド３１２を、ＡＩＤ＝０（グループアドレスを示す）、ＲＵ割り当て：ＲＵ１〜３、トリガタイプ＝「ランダム」のように設定することによって、初期ランダムアクセスのために、ＲＵ１〜３を割り当てることができる。トリガ情報サブフィールド３２４において、ランダムアクセスタイプは、Ｒ−Ｉｎｉｔｉａｌになるように設定されることができる。この例においては、ＡＰは、ユーザ情報フィールド３１４を、ＡＩＤ＝０（グループアドレスを示す）、ＲＵ割り当て：ＲＵ４〜８、トリガタイプ＝「ランダム」のように設定することによって、ランダムアクセストラフィックポーリングのために、ＲＵ４〜８を割り当てることができる。トリガ情報サブフィールド３２４ａにおいて、ランダムアクセスタイプは、Ｒ−ＴＰになるように設定されることができる。ＡＰは、ユーザ情報フィールド３１６を、ＡＩＤ＝ＳＴＡ  ｋのＡＩＤ、ＲＵ割り当て：９、トリガタイプ＝「専用」のように設定することによって、ＵＬデータ送信のために、ＳＴＡ  ｋにＲＵ９を割り当てることができる。
【００７３】
実施形態においては、図３Ａおよび／または図３Ｂに示されるフレームフォーマットは、新しい制御フレームを定義するために、使用されることができる。しかしながら、共通情報フィールド３１０、３２６、ユーザ固有情報フィールド３１０、３１２、３１６、３２８、および／またはＡＣＫ／ＢＡ情報フィールド３３８など、フィールドのうちの１つまたは複数は、ＭＵ制御情報を搬送することができるいずれかのフレーム内に集約されることができる。
【００７４】
ランダムアクセスフレームは、ランダムアクセスのために少なくとも１つのＲＵを割り当てたトリガフレームに応答して、送信されることができる。ランダムアクセスフレームは、ＭＡＣフレームとすることができ、トリガフレーム内において示されるトリガタイプおよびランダムアクセスタイプに応じて、異なるフォーマットを有することができる。トリガタイプが、トリガフレーム内において「ランダム」と設定され、ランダムアクセスタイプが、ランダムアクセスが初期セットアップのためであることを示す、タイプ＝「Ｒ−Ｉｎｉｔｉａｌ」になるように設定されるという条件において、ランダムアクセスフレームは、プローブ要求フレーム、アソシエーション要求フレーム、再アソシエーション要求フレーム、または他のタイプの初期リンクセットアップ関連のフレームとすることができる。トリガタイプが、トリガフレーム内において「ランダム」と設定され、ランダムアクセスタイプが、ランダムアクセスが電力節約ＳＴＡのためであることを示す、タイプ＝「Ｒ−ＰＳ」になるように設定されるという条件において、ランダムアクセスフレームは、ＰＳ−Ｐｏｌｌフレーム、または他のタイプの電力節約関連のフレームとすることができる。トリガタイプが、トリガフレーム内において「ランダム」と設定され、ランダムアクセスタイプが、ランダムアクセスがトラフィックポーリングのためであることを示す、タイプ＝「Ｒ−ＴＰ」になるように設定されるという条件において、ランダムアクセスフレームは、ＵＬ応答フレーム、またはＵＬトラフィックステータスを示すための他のタイプのフレームとすることができる。トリガタイプが、トリガフレーム内において「ランダム」と設定され、ランダムアクセスタイプが、時間的制約のある少量データ送信のためであることを示す、タイプ＝「Ｒ−ＳＤ」になるように設定されるという条件において、ランダムアクセスフレームは、ＵＬデータパケットとすることができる。何らかの制約が、データパケット送信に適用されることができる。例えば、パケットサイズおよび／またはトラフィックタイプが、制約されることがある。
【００７５】
実施形態においては、ランダムアクセスフレームは、ショートランダムアクセス（ＳＲＡ）フレームとすることができ、それは、特にＵＬ  ＭＵランダムアクセスのために、定義されることができる。ＳＲＡフレームは、ＭＡＣフレーム、またはＰＨＹフレームとすることができる。図４Ａおよび図４Ｂに関して上で説明されたように、ＵＬ  ＭＵランダムアクセスのためのランダムアクセスプロトコルが、衝突を完全には回避することができないシナリオが、存在することができる。ＳＲＡフレームは、長いパケット送信を衝突から保護するために、使用されることができる。
【００７６】
図５は、例示的なＳＲＡ  ＭＡＣフレーム５００の図である。ＳＲＡ  ＭＡＣフレーム５００は、ＭＡＣ制御フレーム、またはＭＡＣ管理フレームとすることができ、それは、いずれかのＳＵ  ＰＰＤＵまたはＭＵ  ＰＰＤＵにおいて、送信されることができる。このようにして、ＳＲＡフレーム５００の受信機としてのＡＰは、ＳＴＡのＭＡＣアドレスを獲得することができる。したがって、（以下においてより詳細に説明される）カスケードトリガフレームの場合、ＡＰは、ＭＡＣアドレスまたは対応するＳＴＡ  ＩＤ（例えば、ＡＩＤまたはＰＡＩＤ）を使用して、ＵＬリソースを割り当てることができる。
【００７７】
図５に示される例示的なＳＲＡ  ＭＡＣフレーム５００は、ＦＣフィールド５０５と、持続時間フィールド５１０と、ＲＡフィールド５１５と、ＴＡフィールド５２０と、ＦＣＳフィールド５２５とを含む。フレーム制御フィールド５０５は、ＦＣフィールド５０５内のタイプまたはサブタイプサブフィールドを使用して、フレームがＳＲＡフレームであることを示すことができる。持続時間フィールド５１０は、複数のフレームの系列（例えば、以下においてより詳細に説明されるようなマルチ局ＢＡ）の最後まで保護することができる、意図されていないＳＴＡのためのＮＡＶを設定するために、使用されることができる。ＲＡフィールド５１５は、ＳＴＡのアドレスを含むことができる。ＴＡフィールド５２０は、ＡＰのＭＡＣアドレスを含むことができ、いくつかの状況においては、省かれてよい。
【００７８】
あるいは、既存の制御フレームまたは管理フレームが、ＳＲＡフレームとして、再使用または再解釈されることができる。例えば、ＵＬランダムアクセスのために割り当てられることができるＲＵ内において非ＡＰ  ＳＴＡによって送信されるＲＴＳフレームは、ＲＡフレームと見なされることができる。ＲＴＳフレームの受信機としてのＡＰは、それらを、通常のＲＴＳフレームの代わりに、ＳＲＡフレームとして扱うことができる。
【００７９】
実施形態においては、トリガフレームは、ＵＬ  ＭＵランダムアクセスのためのＲＵのすべてを割り当てることができる。このケースにおいては、ＮＤＰまたは準ＮＤＰ  ＳＲＡフレームが、使用されることができる。ＮＤＰまたは準ＮＤＰ  ＳＲＡ送信は、ＭＡＣボディなしのＵＬ  ＭＵ  ＰＰＤＵと見なされることができる。ＰＬＣＰヘッダ内のＳＩＧフィールドは、ＳＲＡフレームとして上書きされることができる。ＮＤＰ  ＳＲＡフレームは、数々の異なる形式のうちの１つを取ることができ、それらの例は、図６Ａ、図６Ｂ、および図６Ｃにおいて提供される。
【００８０】
図６Ａは、例示的なＮＰＤ  ＳＲＡフレーム６００Ａの図である。図６Ａに示される例示的なＮＤＰ  ＳＲＡフレーム６００Ａは、それぞれ、Ｌ−ＳＴＦフィールド６０２ａと、Ｌ−ＬＴＦフィールド６０４ａとを含み、それらは、通常の送信用として準備されることができる。ＮＤＰ  ＳＲＡフレーム６００Ａは、Ｌ−ＳＩＧフィールド６０６ａを含むこともでき、それは、上で説明されたように、トリガフレームにおいて提供される命令に従って、準備されることができる。Ｌ−ＳＩＧフィールド６０６ａ内の長さフィールドは、現在のＳＲＡ送信の長さを示すことができる。ＮＤＰ送信を用いる場合、これがＮＤＰフレームであることをＳＴＡが気付くことができるように、長さは、非ＮＤＰフレームよりも短くすることができる。実施形態においては、ＵＬ  ＭＵランダムアクセスフレーム内において送信する非ＡＰ  ＳＴＡのすべてが、同じＬ−ＳＩＧフィールド６０６ａを有することができるわけではない。
【００８１】
例示的なＮＤＰ  ＳＲＡフレーム６００Ａは、それぞれ、ＨＥ−ＳＩＧ−Ａ１フィールド６０８と、ＨＥ−ＳＩＧ−Ａ２フィールド６１２とを含むこともできる。ＨＥ−ＳＩＧ−Ａ１フィールド６０８は、上で説明されたように、トリガフレーム内の命令に従って準備される、ＨＥ−ＳＩＧ−Ａフィールドの第１の半分とすることができる。ＨＥ−ＳＩＧ−Ａ１フィールド６０８は、整数個のＯＦＤＭシンボルの長さを有することができる。ＨＥ−ＳＩＧ−Ａ１フィールド６０８内のいくつかのフィールドは、このフレームがＮＤＰ  ＳＲＡフレームであることを示すことができる。ＵＬ  ＭＵランダムアクセスにおいて送信する非ＡＰ  ＳＴＡのすべてが、同じＨＥ−ＳＩＧ−Ａ１フィールドを有することができるわけではない。ＨＥ−ＳＩＧ−Ａ２フィールド６１２は、ＨＥ−ＳＩＧ−Ａフィールドの第２の半分とすることができ、上で説明されたように、トリガフレーム内の命令に従って準備されることができる。
【００８２】
図６Ｂは、別の例示的なＮＰＤ  ＳＲＡフレーム６００Ｂの図である。例示的なＮＤＰ  ＳＲＡフレーム６００Ａと同様に、図６Ｂに示される例示的なＮＤＰ  ＳＲＡフレーム６００Ｂは、それぞれ、Ｌ−ＳＴＦフィールド６０２ｂと、Ｌ−ＬＴＦフィールド６０４ｂとを含み、それらは、通常の送信用として準備されることができる。例示的なＮＤＰ  ＳＲＡフレーム６００Ａと同様に、ＮＤＰ  ＳＲＡフレーム６００Ｂは、Ｌ−ＳＩＧフィールド６０６ｂを含むこともでき、それは、上で説明されたように、トリガフレームにおいて提供される命令に従って、準備されることができる。Ｌ−ＳＩＧフィールド６０６ｂ内の長さフィールドは、現在のＳＲＡ送信の長さを示すことができる。ＮＤＰ送信を用いる場合、これがＮＤＰフレームであることをＳＴＡが気付くことができるように、長さは、非ＮＤＰフレームよりも短くすることができる。実施形態においては、ＵＬ  ＭＵランダムアクセスフレーム内において送信する非ＡＰ  ＳＴＡのすべてが、同じＬ−ＳＩＧフィールド６０６ｂを有することができるわけではない。
【００８３】
ＵＬ  ＭＵランダムアクセスフレームは、トリガフレームに対する直接的な応答とすることができる。ＳＲＡ送信は、ＡＰによってスケジュールされることができ、ＳＩＧフィールドは、ＡＰによって割り当てられる（または命令される）ことができる。ＡＰが、ＮＤＰ  ＳＲＡフレームを予想するという条件において、ＳＴＡは、それのＵＬ送信において、ＮＤＰ  ＳＲＡフレームを明示的に伝達することを必要としなくてよい。例示的なＮＰＤ  ＳＲＡフレーム６００Ｂの場合、例示的なＮＰＤ  ＳＲＡフレーム６００Ａのケースのように、ＨＥ−ＳＩＧ−Ａフィールドの第１の半分および第２の半分を搬送する、別個のＨＥ−ＳＩＧ−Ａ１フィールドおよびＨＥ−ＳＩＧ−Ａ２フィールドを有する代わりに、ＳＴＡは、ユーザ固有の系列を使用して、ＨＥ−ＳＩＧ−Ａ２フィールドを上書きして、ＨＥ−ＳＩＧ−Ａフィールド６１４ａを形成することができる。しかしながら、Ｌ−ＳＴＦ／Ｌ−ＬＴＦおよびＬ−ＳＩＧフィールドは、すべてのユーザの間で同じとすることができる。
【００８４】
図６Ｃは、別の例示的なＮＤＰ  ＳＲＡフレーム６００Ｃの図である。バックワード能力が、トリガフレームによって対処されることができる場合、ＮＤＰ  ＳＲＡフレームは、さらに簡略化されることができる。例えば、トリガフレームは、レガシフレームによって検出されることができ、それは、後続の複数のフレーム交換のために、ＮＡＶを設定することができる。図６Ｃに示される例示的なＮＤＰ  ＳＲＡフレーム６００Ｃの場合、Ｌ−ＳＴＦフィールド６０２ｃは、自動利得制御（ＡＧＣ）およびタイミング／周波数検出のために、必要とされることがある。しかしながら、ＬＴＦフィールドは、ＮＤＰ  ＳＲＡフレーム６００Ｃ内に含まれてもよく、または含まれなくてもよい。図６Ｃに示される例示的なＮＤＰ  ＳＲＡフレーム６００Ｃは、１つまたは複数のトレーニングフィールドに続いて、ＨＥ−ＳＩＧ−Ａフィールド６１４ｂを含む。例示的なＮＤＰ  ＳＲＡフレーム６００Ｂと同様に、ＨＥ−ＳＩＧ−Ａフィールド６１４ｂは、上書きされることができ、ユーザ固有の系列だけを含むことができる。
【００８５】
ユーザ固有の系列を使用する、例示的なＮＤＰ  ＳＲＡフレーム６００Ｂ、６００Ｃの場合、系列は、それらが同じ周波数−時間リソースを使用して同時に送信されたときでも、ＡＰがそれらを区別することができるように、互いに直交であることができる。各系列は、それと関連付けられた系列ＩＤを有することができる。したがって、ＡＰは、その系列を使用してＳＲＡを正常に送信したＳＴＡを示すために、系列ＩＤを使用することができる。ユーザ固有の系列は、ビーコンフレーム、アソシエーション応答、または他のタイプのフレーム内に、ＡＰによって割り当てられることができる。あるいは、ＳＴＡは、例えば、規格において指定されることができる、系列のセットから、系列をランダムに選択することができる。
【００８６】
直交系列を使用する代わりに、ＳＲＡフレームは、ＯＦＤＭＡに似たフォーマットを有することができ、それは、準ＮＤＰ  ＳＲＡフレームと呼ばれることがある。図７は、例示的な準ＮＤＰ  ＳＲＡフレーム７００の図である。図７に示される例示的な準ＮＤＰ  ＳＲＡフレーム７００は、上書きされることができないＰＬＣＰヘッダ内に、それぞれ、Ｌ−ＳＴＦフィールド７０２と、Ｌ−ＬＴＦフィールド７０４と、Ｌ−ＳＩＧフィールド７０６と、ＨＥ−ＳＩＧ−Ａフィールド７０８とを含む。ＳＲＡフィールド７１０は、プリアンブルの後で送信されることができ、ＲＵごととすることができる。しかしながら、ＳＲＡフィールド７１０は、完全なＭＡＣフレームでなくてよい。代わりに、ＳＲＡフィールド７１０は、時間領域において短くする（例えば、１つのＯＦＤＭＡシンボル長である）ことができる、ＨＥ−ＳＴＦフィールド７１２、ＨＥ−ＬＴＦフィールド７１４、およびＳＲＡ情報７１６などの限られた情報をそれぞれ搬送することができる。
【００８７】
例えば、最小のＲＵサイズは、ＯＦＤＭＡシンボルあたり２６個のサブキャリアとすることができる。ここでは、その場合、基本的なＳＲＡフィールド７１０は、２６個の符号化ビットまたは非符号化ビットを搬送することができる。実施形態においては、ＳＲＡフィールドは、共通の系列、またはユーザ固有の系列とすることができる。他の実施形態においては、ＳＲＡフィールドは、圧縮されたＳＴＡ  ＩＤなど、いくつかの情報を搬送するように設計されることができる。
【００８８】
上で簡潔に説明されたように、ＵＬランダムアクセスフレームのためのアクノリジメントは、トリガフレーム内に含まれることができ、それは、先行するＵＬ送信のアクノリジメントを行い、新しいＵＬ送信をトリガするために使用されることができる。実施形態においては、そのようなアクノリジメントは、トリガフレーム内のＡＣＫ／ＢＡ情報フィールドにおいて（もしくは共通情報フィールド内のＡＣＫ／ＢＡ情報として）行われることができ、またはアクノリジメントフレームは、Ａ−ＭＰＤＵフォーマットにおいて、他のフレームとともに集約されることができる。実施形態においては、マルチＳＴＡ  ＢＡフレームが、使用されることができる。上で説明されたように、アクノリジメントは、ＭＡＣレイヤアクノリジメント、またはＰＨＹレイヤアクノリジメントとすることができる。例えば、ＳＲＡが使用される場合、少なくとも、ＳＲＡは、ＭＡＣアドレス、ＡＩＤ、または他のタイプのＳＴＡ  ＩＤなどの、いかなる情報も含まないことがあるという理由で、ＰＨＹ  ＡＣＫ／ＢＡは、ＭＡＣ  ＡＣＫ／ＢＡよりも使用に適することができる。別の例を挙げると、ＡＩＤが、ＳＴＡになるように設定されないことがあるときに、トリガフレームが、初期リンクセットアップをトリガするために使用されるとき、ＰＨＹ  ＡＣＫ／ＢＡは、ＭＡＣ  ＡＣＫ／ＢＡよりも適することができる。
【００８９】
ＳＴＡおよびＡＰは、ＵＬ  ＭＵランダムアクセスをサポートするためのそれらの能力を示すことができる。例えば、ＡＰは、ＵＬ  ＭＵランダムアクセスがＡＰには可能であることを示すインジケータを、それのビーコン、プローブ、応答、アソシエーション応答フレーム、もしくは他のタイプのフレーム内に、またはＭＡＣヘッダ、もしくはＰＬＣＰヘッダ内に含むことができる。同様に、ＳＴＡは、ＵＬ  ＭＵランダムアクセスをサポートするための能力を、それらのプローブ要求、アソシエーション要求、もしくは他の管理、制御、もしくは他のタイプのフレーム内において、またはＭＡＣヘッダ、もしくはＰＬＣＰヘッダ内において示すことができる。
【００９０】
実施形態においては、「ＵＬ  ＭＵランダムアクセスサポート」サブフィールドが、能力情報フィールド内に、または新しいＨＥ能力情報要素（ＩＥ）内に含まれることができる。あるいは、初期アクセスのためにランダムアクセスをサポートする能力用、電力節約モードにおいてランダムアクセスをサポートする能力用、トラフィックポーリングのためにランダムアクセスをサポートする能力用、および時間的制約のある少量パケットのためにランダムアクセスをサポートする能力用など、異なる用途のために、いくつかの別個のランダムアクセス能力インジケータが、定義されることができる。
【００９１】
図８Ａおよび図８Ｂは、ランダムアクセスフレームおよびトリガフレームを用いる例示的なフレーム交換の信号図である。図８Ａおよび図８Ｂにおいては、例として、４つのＲＵが、提供される。しかしながら、当業者によって認識されるように、より多いまたは少ないＲＵが、使用されることができる。
【００９２】
図８Ａは、ＡＰ８０５ａとＳＴＡ８５０ａとの間の例示的なフレーム交換の信号図８００Ａであり、ＡＰ８０５ａは、トリガフレーム８１０を送信することができ、トリガフレーム８１０は、ランダムアクセス用にＲＵ１〜３を割り当て、ＳＴＡ８５０ａのうちのＳＴＡ３の専用としてＲＵ４を割り当てる。トリガフレーム８１０からショートインターフェーススペース（ＳＩＦＳ）時間後に、ＳＴＡ８５０ａは、ＵＬ  ＭＵ送信８１２において、ＵＬ  ＭＵフレームを送信することができる。ＳＴＡ８５０ａのうちの２つ、ＳＴＡ１およびＳＴＡ２は、それぞれ、ＲＵ１およびＲＵ２上において、ランダムアクセスフレーム８１５、８２０を送信することができる。ＡＰ８０５ａは、衝突なしに、これらの送信を検出することができる。図８Ａに示される例においては、ＳＴＡ８５０ａのうちの２つ以上が、ＲＵ３上において、それらのランダムアクセスフレーム８２５を送信したが、送信が、衝突した。ＳＴＡ３は、割り当てられたＲＵであるＲＵ４上において、専用フレーム８３０を送信することができる。
【００９３】
（ＵＬ  ＭＵ送信８１２からＳＩＦＳ時間後の）次のＤＬ送信フレームにおいて、ＡＰ８０５ａは、Ａ−ＭＰＤＵ８３２を送信することができ、それらは、それぞれ、ＲＵ１およびＲＵ２上において、ランダムアクセスフレーム８１５、８２０に対するブロックＡＣＫ（ＢＡ）応答８３５、８４０を集約する。新しいトリガフレームが、先に衝突が発生したＲＵ３上において、送信されることができる。ＲＵ４上においては、ＡＰ８０５ａは、ＢＡフレーム８４４をＳＴＡ３に送信することができ、それは、ＳＴＡ３からの別のＵＬ送信をトリガするために、ＳＴＡ３へのユニキャストトリガフレーム８４６とともに集約されることができる。
【００９４】
図８Ｂは、ＡＰ８０５ｂとＳＴＡ８５０ｂとの間の別の例示的なフレーム交換の信号図８００Ｂである。図８Ａに示される例と図８Ｂに示される例との間の相違は、図８Ｂに示される例では、第２のＤＬ送信８５５において、ユニキャストＢＡの代わりに、マルチＳＴＡ  ＢＡフレーム８５８が、使用されることができることである。図８Ｂの例において示されるように、ＡＰ８０５ｂは、受信され、正常にデコードされた送信８１５、８２０、８３０についてのアクノリジメントとして、マルチＳＴＡ  ＢＡフレーム８５８を、ＳＴＡ１、ＳＴＡ２、およびＳＴＡ３に送信することができる。ＡＰ８０５ｂは、ＲＵ２およびＲＵ３上において、トリガフレーム８６０を、またＲＵ４上において、新しいＳＴＡ、例えば、ＳＴＡ４にデータフレーム８６５を送信することもできる。
【００９５】
図９は、ＵＬ  ＭＵランダムアクセスをトリガする例示的な方法のフロー図９００である。実施形態においては、ＡＰは、競合またはスケジューリングを通して、チャネル媒体を獲得することができる。図９に示される例においては、ＡＰがひとたびチャネルを獲得すると、それは、トリガフレームを送信し（９１０）、それは、次回のＵＬ  ＯＦＤＭＡ送信における、ランダムアクセスのための少なくとも１つのＯＦＤＭＡビルディングブロックまたはＲＵの割り当てを含むことができる。ＡＰは、多くの異なる方法のうちの１つで、トリガフレームを送信することができる。例えば、ＡＰは、単独フレーム（例えば、図８Ａおよび図８Ｂに示されるトリガフレーム８１０）として、トリガフレームを送信することができる。別の例として、トリガフレームは、ＭＡＣフレームとすることができ、またＡ−ＭＰＤＵフォーマットを使用して（例えば、１つまたは複数のデータフレーム、制御フレーム、および管理フレームを含む）他のフレームとともに集約されることができる。この例においては、トリガフレームの送信は、ＯＦＤＭモード、ＯＦＤＭＡモード、または他のモードにあることができる。このタイプのトリガフレームの例は、図８）に示されるトリガフレーム８４６である。別の例を挙げると、ＡＰは、ＭＵモード（ＤＬ  ＯＦＤＭＡまたは他のＭＵモード）で、トリガフレーム、ならびに（データ、制御、および／または管理フレームなどの）他のフレームを送信することができる。このタイプのトリガフレームの例は、図８Ａおよび図８Ｂに示されるトリガフレーム８４２、８６０である。
【００９６】
トリガフレームが、ＤＬ  ＯＦＤＭＡモードで送信される場合、トリガフレームを搬送するＤＬ  ＭＵ  ＰＰＤＵのＳＩＧ−Ｂ内のリソース割り当てフィールドは、トリガフレーム送信のためにあるＲＵが割り当てられることができることを示すために、ブロードキャスト／マルチキャストＩＤ（例えば、グループＩＤ、拡張されたグループＩＤ、マルチキャストＩＤ）、またはユニキャストＩＤ（例えばＰＡＩＤ）を使用することができる。ブロードキャストまたはマルチキャストＩＤが、使用されるとき、対応する１つまたは複数の潜在的な受信者および／またはＳＴＡは、トリガフレームを検出する必要があることがあり、意図されていないＳＴＡは、トリガフレームの検出をスキップすることができる。
【００９７】
図９を再び参照すると、ＳＩＦＳ時間後に、ＡＰは、複数のＳＴＡからＵＬ送信を受信することができる（９２０）。ランダムアクセスのために割り当てられた各ＲＵ上において、例えば、ＡＰは、ＳＴＡから単一のランダムアクセスパケットを正常に受信することができ、２つ以上のＳＴＡから（ＲＵ上において衝突を引き起こす）複数のランダムアクセスパケットを受信することができ、または特定のＯＦＤＭＡビルディングブロック上においては何も受信しなくてよい。
【００９８】
ＵＬ  ＭＵランダムアクセス送信を受信してからＳＩＦＳ時間後に、ＡＰは、１つまたは複数のアクノリジメントフレームをＳＴＡに送信することができる（９３０）。アクノリジメントフレームは、例えば、マルチＳＴＡ  ＢＡフレーム、ＡＣＫフレーム、および／またはＢＡフレームを含むことができる。実施形態においては、ＡＰは、アクノリジメントを、他のＤＬデータ、制御、および／またはＭＡＣフレームとカスケードすることができる。ＡＰは、ＡＣＫを、例えば、ＵＬ送信の新しいセットをトリガするために使用されることができるトリガフレームとともに集約することもできる。
【００９９】
図１０は、ＵＬ  ＭＵランダムアクセスの例示的な方法のフロー図１０００である。図１０に示される例においては、ＳＴＡは、次回のＵＬ  ＯＦＤＭＡ送信におけるＵＬ  ＭＵランダムアクセスのための少なくとも１つのＯＦＤＭＡビルディングブロックまたはＲＵを割り当てる、トリガフレームを検出することができる（１０１０）。ＡＰからのＤＬ送信がＯＦＤＭＡモードにあるという条件において、ＳＴＡは、トリガフレームのリソース割り当てについてのＳＩＧ−Ｂフィールドをチェックすることができる。ＳＴＡが、送信すべきＵＬフレーム（例えば、データ、管理、または制御フレーム）を有し、ＳＴＡが、受信されたトリガフレーム内において指定されたいずれの制約または要件も満たすという条件において（１０２０）、ＷＴＲＵは、割り当てられたＵＬランダムアクセスＲＵ内において、それのＵＬ送信を準備することができる（１０３０）。これは、例えば、複数のＳＴＡからの送信がＡＰにおいて整列させられるように、いずれか必要なパディング、電力調整、および同期調整を、ＵＬ送信に適用することを含むことができる。
【０１００】
図１１は、ＵＬ  ＭＵランダムアクセスの別の例示的な方法のフロー図１１００である。図１１に示される例においては、ＳＴＡは、送信する前に、ランダムアクセスＲＵ選択における延期インデックスのための別個のランダムバックオフインデックスＲを生成する（１１０５）。実施形態においては、乱数Ｒは、区間［Ｃ，ＣＩ］上における一様分布から引き出されることができ、ＣＩは、［ＣＩｍｉｎ，ＣＩｍａｘ］の範囲内にあることができる、競合インデックスである。ＣＩは、最初、ＣＩｍｉｎになるように設定されることができる。
【０１０１】
ＷＴＲＵは、次に、ＲをＭと比較することができる（Ｍは、検出されたトリガフレーム内における、ランダムアクセスのために割り当てられたＲＵの数である）。Ｒ≦Ｍという条件において（１１１０）、ＷＴＲＵは、ランダムアクセスのために割り当てられた第ＲのＲＵ上において、送信することができる（１１１５）。Ｒ＞Ｍという条件において（１１１０）、ＷＴＲＵは、それの送信を保留し（１１２０）、Ｒ＝Ｒ−Ｍにリセットし（１１２５）、リセットされたオフセット値Ｒを使用して、次のＵＬ  ＭＵランダムアクセス機会を求めて競争することができる（１１３０）。
【０１０２】
図１０を再び参照すると、ＷＴＲＵがそれのランダムアクセスフレームを送信してからＳＩＦＳ時間後に、送信されたフレームが、ＡＰにおいて正常に受信された場合、ＷＴＲＵは、ＡＰからＡＣＫフレームを受信することができる（１０４０）。あるいは、ＤＬにおいて受信された、将来の専用またはランダムアクセスＵＬ  ＭＵ送信のための新しいトリガフレームは、ＵＬランダムアクセス送信のためのアクノリジメントとしての役割を果たすことができる。ランダムアクセスフレームがＡＰ側において正常にデコードされたことを示すアクノリジメントが、ＡＰから受信されたという条件において、ＷＴＲＵは、ＣＩ＝ＣＩｍｉｎと設定することができる。それ以外では、ＳＴＡは、ＣＩ＝ｍｉｎ（ＣＩｍｉｎ×２，ＣＩｍａｘ）と設定することができる。
【０１０３】
密なＳＴＡ配備などのための実施形態、および／または多数のサイズの小さいもしくは時間的制約のあるパケットが、ＢＳＳ内において同時に送信されている実施形態においては、ＡＰは、ＴｘＯＰ当たり多数のトリガフレームを送信することができる。図１２、図１３、および図１４は、複数のトリガフレームがＴｘＯＰにおいて送信される例を提供している。
【０１０４】
図１２は、ＳＲＡフレームを用いるランダムアクセス手順の図１２００である。図１２に示される例においては、ＡＰ１２０２は、トリガフレーム１２０５を送信し、それは、ランダムアクセスのための少なくとも１つのＲＵを割り当てることができる。トリガフレーム１２０５からＳＩＦＳ時間後に、ＳＴＡは、ＵＬ  ＭＵ送信１２２０において、ＵＬ  ＭＵフレームを送信することができる。ＵＬ  ＭＩＭＯ送信１２２０において、ＳＴＡ１２５０のうちのＳＴＡ１およびＳＴＡ２は、それぞれ、ＲＵ１およびＲＵ２上において、ＳＲＡフレーム１２２５、１２３０を送信する。ＳＲＡフレームは、図６Ａ、図６Ｂ、および図６Ｃに示されるＳＲＡフレームのいずれかとすることができ、存在する場合は、非常に限られたＭＡＣ情報を含むことができる。衝突が、ＲＵ１２３５上において送信されたフレーム１２３５間で発生することがあり、ＲＵ４上においては、フレーム１２４０は、送信されなくてよく、したがって、それは、空とすることができる。
【０１０５】
ＡＰは、ＴｘＯＰの間に、別のトリガ１２１０を送信することができ、それは、ＵＬ  ＭＵ送信１２２０において、ＳＲＡフレームを正常に送信したユーザ（この例においては、ＳＴＡ１およびＳＴＡ２）のために、専用ＵＬ送信をスケジュールする。図１２に示される例においては、ＳＴＡ１は、それの専用送信のために、ＲＵ１およびＲＵ２を割り当てられ、ＳＴＡ２は、それの専用送信のために、ＲＵ３およびＲＵ４を割り当てられる。トリガフレーム１２１０は、ＰＨＹ／ＭＡＣ  ＡＣＫ／ＮＡＣＫフレームの１つまたは複数を含むこともできる。トリガフレーム１２１０からＳＩＦＳ時間後に、別のＵＬ  ＭＵ送信１２６０が、発生することができ、ＳＴＡ１およびＳＴＡ２は、それぞれ、専用フレーム１２４５、１２５５を送信する。実施形態においては、図１２に示されるフレーム交換における持続時間フレームは、複数のフレームからなる系列を保護するように設定されることができる。
【０１０６】
ＳＴＡ側からは、トリガフレーム１２０５を受信したのに応答して、それは、それが送信することができるかどうかをチェックすることができる。ＳＴＡが、それがＵＬ  ＭＵランダムアクセスフレームを送信することができると決定したという条件において、ＳＴＡは、通常の送信におけるように、Ｌ−ＳＴＦ、Ｌ−ＬＴＦフィールドを準備し、トリガフレーム１２０５内の命令に従って、Ｌ−ＳＩＧフィールドを準備することができる。ＳＴＡは、ＨＥ−ＳＩＧ−Ａ１フィールドを準備することができ、それは、図６Ａ、図６Ｂ、および図６Ｃに関して上で説明されたように、トリガフレーム１２０５内の命令に従って、ＨＥ−ＳＩＧ−Ａフィールドの第１の半分とすることができる。実施形態においては、ＳＴＡは、ユーザ固有の系列を使用して、ＨＥ−ＳＩＧ−Ａフィールドの第２の半分とすることができるＨＥ−ＳＩＧ−Ａ２フィールドを上書きすることができる。
【０１０７】
特定のＳＴＡが送信すべきパケットを有することをＡＰに通知するトラフィック表示パケットなど、小さいパケット、またはＶｏＩＰもしくはゲーム制御トラフィックを搬送するパケットなど、時間的制約のあるパケットが存在することがあるシナリオの場合、ＡＰは、Ｎ個の異なるランダムアクセス機会を有するランダムアクセスウィンドウを設定することができ、それは、連続ランダムアクセス送信機会（ＣＲＡ  ＴｘＯＰ）と呼ばれることがある。
【０１０８】
実施形態においては、ランダムアクセス送信機会における一連のカスケードトリガフレームのうちの最初のランダムアクセストリガフレームは、トラフィックタイプ、サイズ、および関連情報、ならびに各ランダムアクセス機会（ＲａＯＰ）送信の間に置かれる、組み合わされたマルチＳＴＡブロックＡＣＫ／トリガフレームを有する、ＣＲＡ  ＴｘＯＰにおけるトリガフレームの数を示すことができる。他の実施形態においては、新しい各ＲａＯＰは、先行する１つが終了してからＳＩＦＳ時間後に、送信されることができる。ここで、遅延させられたＭＵブロックＡＣＫが、ＴｘＯＰの終了時に、ＡＰから送信されることができる。間に置かれたトリガフレームは、必要に応じて、特定のＲＵ上において特定のユーザをスケジュールすることによって、ＣＲＡ  ＴｘＯＰ内において、ランダムアクセスＲＵを追加すること、および／または除去することができる。カスケードトリガフレームのための異なる実施形態は、図１３および図１４に関して、以下でより詳細に説明される。
【０１０９】
必要とされるランダムアクセスＲＵの数を決定するために、ＡＰは、送信内における空のランダムアクセスＲＵの数を観測することができる。これは、チャネルにアクセスしないＳＴＡと、リソース内において発生する衝突の数との関数とすることができる。ＳＴＡが有したランダムアクセス衝突の数、およびこれらの衝突が発生したプライマリチャネルをＡＰに通知するフィードバックサブフレームは、割り当てを必要なサイズにするのを助けるために、使用されることもできる。このケースにおいては、フィードバックは、ＲａＯＰ内におけるＲＡＢインデックスおよびＲＵインデックスの両方を含むことができる。
【０１１０】
実施形態においては、ＳＴＡは、異なるグループに分類されることができ、ランダムアクセスは、特定のグループに限定されることができる。これは、すべてのグループがチャネルにアクセスするための機会を与えられることを保証するために、カスケードされたＯＦＤＭＡ送信と組み合わされることができる。他の実施形態においては、ＳＴＡは、グループ化されることができ、特定のグループは、ＯＦＤＭＡリソースの特定のセットにアクセスすることができる。
【０１１１】
例として、多くの衝突が存在するシナリオにおいては、ＡＰは、ＳＴＡのどのグループが、特定のＲａＯＰにアクセスするのを許可されるかを指定することができる。例えば、第１のＳＴＡグループ（ＳＴＡグループ１）は、ＲａＯＰ１にアクセスするのを許可されることができ、第２のＳＴＡグループ（ＳＴＡグループ２）は、ＲａＯＰ２にアクセスするのを許可されることができ、以降も同様である。このケースにおいては、ＳＴＡをグループ化し、各グループが使用することができる、ランダムアクセス機会を識別するために、シグナリングが、必要とされることがある。ＳＴＡは、複数のグループに属することができる。ＲａＯＰは、ＢＳＳ間におけるＯＢＳＳ衝突の影響を制限するために、オーバラッピングＢＳＳ間において調整されることができる。
【０１１２】
図１３は、間に置かれたブロックＡＣＫ／トリガフレームの後にＲａＯＰが発生する、カスケードトリガフレームを使用する、例示的な順次ランダムアクセス手順の信号図１３００である。図１３に示される例においては、ＡＰ１３１０は、トリガフレーム１３０４を送信し、それは、ＣＲＡ  ＴｘＯＰの持続時間、トリガされるトラフィックのサイズ、トリガされるトラフィックのタイプ、ＣＲＡ  ＴｘＯＰ内におけるＲａＯＰの数（Ｎ）、およびＭＵ−ＢＡ−トリガフレーム１３０６など、間に置かれたブロックＡＣＫ／トリガフレームの後に、ＲａＯＰが発生するという表示のうちの１つまたは複数を搬送することができる、トリガ−Ｒフレームとすることができる。
【０１１３】
実施形態においては、トリガ−Ｒフレーム１３０４および／またはＭＵ−ＢＡ−トリガフレーム１３０６などのトリガフレームは、ＲａＯＰおよび／またはＣＲＡ  ＴｘＯＰにおいて、どのＳＴＡが送信することを許可されるかを示すことができる。一例においては、すべてのＳＴＡは、ＣＲＡ  ＴｘＯＰにおいて、いずれのランダムアクセスリソースにもアクセスすることを許可されることができる。別の例においては、トリガフレームは、各ＲａＯＰ内において許可されるＳＴＡグループの系列を示すことができる。ここで、ＡＰは、空間を複数のランダムアクセスグループに分割することができ、各ランダムアクセスグループは、いくつかの共通性（例えば、トラフィックサイズ、物理的近接性、および同じサイズのトラフィックが送信されるときにパディングを低減するために要求される共通のＭＣＳ）を有するＳＴＡを含む。ＳＴＡは、それらが割り当てられたＲａＯＰ内において、ランダムアクセスチャネルにアクセスすることを許可されることができる。いくつかのＲａＯＰは、同時のＳＴＡのランダムアクセスのために残されることができる。例えば、ＲａＯＰ１＝ＳＴＡグループ１であり、ＲａＯＰ２＝ＳＴＡグループ２であり、ＲａＯＰｎ＝すべてのＳＴＡである。
【０１１４】
さらに、トリガ−Ｒフレーム１３０４および／またはＭＵ−ＢＡ−トリガフレーム１３０６などのトリガフレームは、ランダムアクセスに専用されるリソースを示すことができる。一例においては、ＣＲＡ  ＴｘＯＰ内のすべてのＲＵは、ランダムアクセスのために割り当てられることができる。別の例においては、送信帯域幅内のＲＵのサブセットだけが、ランダムアクセスのために許可されることができる。このリソースのサブセットは、ＣＲＡ  ＴｘＯＰ全体にわたって一定とすることができ、またはＣＲＡ  ＴｘＯＰの経過中に変化することができる。
【０１１５】
ＳＴＡは、それらがアクセスすることを許可されたランダムアクセスリソース／ＲａＯＰにおいて、ランダムアクセスを実行することができる。例えば、図１３に示されるように、ＳＴＡは、ＣＲＡ  ＴｘＯＰ１３０２における送信１３１２、１３２２の間に、フレームを送信することができる。示される例においては、トリガ−Ｒフレーム１３０４の後、ＳＴＡ１は、ＲＵ１上において、ランダムアクセスフレーム１３１４を送信し、ＳＴＡ２は、ＲＵ２上において、ランダムアクセスフレーム１３１６を送信し、ＳＴＡ３およびＳＴＡ４は、ＲＵ３上において、ランダムアクセスフレーム１３１８を送信し、それらは、衝突し、ＲＵ４は、空である（１３２０）。上で言及されたように、ブロックＡＣＫ１３０６は、送信後直ちに、ＳＴＡに送信されることができ、間に置かれたトリガフレーム１３０６は、必要に応じて、特定のＲＵ上において特定のユーザをスケジュールすることによって、ＣＲＡ  ＴｘＯＰ１３０２内において、ランダムアクセスＲＵを追加すること、および／または除去することができる。
【０１１６】
図１４は、ＲａＯＰが互いの後直ちに発生し、遅延させられたＭＵブロックＡＣＫを用いる、カスケードトリガフレームを使用する、例示的な順次ランダムアクセス手順の信号図１４００である。図１４に示される例は、各送信後直ちにＡＰ１３１０がブロックＡＣＫを送信する代わりに、ＣＲＡ  ＴｘＯＰ１３０２において、ＲａＯＰが互いの後直ちに発生し、順次ＴｘＯＰ１３０２の終了時に、遅延させられたＭＵ−ブロックＡＣＫ１３６０が、ＣＲＡ  ＴｘＯＰ１３０２の間に送信されたすべての送信のアクノリジメントを行うために送信されることを除いて、図１３に示される例と同じである。遅延させられたブロックＡＣＫ１３６０は、上で説明されたブロックＡＣＫ実施形態のいずれかに基づくことができるが、データが送信されたＲａＯＰに関する追加情報が、遅延させられたブロックＡＣＫ１３６０内に含まれる必要があることがある。
【０１１７】
図１５は、遅延させられたＡＣＫが許可されるときの例示的なＰＨＹレイヤアクノリジメント手順の信号図１５００である。図１５に示される例においては、チャネル媒体を獲得した後、ＡＰ１５０２は、トリガフレーム１５０４を送信することができ、それは、トークンまたはシーケンス番号１５０６を含むことができる。トークンまたはシーケンス番号は、トリガフレーム１５０８内のトークン１５１０に関して示されるように、後続の各トリガフレームにおいて増加させられることができる。トークンまたはシーケンス番号が、最大許容閾値ｔｏｋｅｎ＿ｍａｘに達したという条件において、ＡＰ１５０２は、トークン／シーケンスを初期値にリセットすることができる。あるいは、トークン／シーケンスは、ＵＬ  ＭＵフレームが後に続くことができる、他のタイプのＤＬフレーム内に含まれることができる。
【０１１８】
ＡＰ１５０２は、各トリガフレーム１５０４、１５０８からＳＩＦＳ時間後に、ＵＬ  ＭＵフレームにおいて、ランダムアクセスまたはＳＲＡフレーム１５１２、１５１６を受信することができる。ＡＰ１５０２は、ランダムアクセスフレームが正常に検出されたＲＵのインデックスを記録することができる。
【０１１９】
図１５に示される一実施形態においては、ＵＬ  ＭＵフレーム１５１２からＳＩＦＳ時間後に、ＡＰは、例えば、ＤＬ送信１５１２内に、ＰＨＹレイヤアクノリジメントを含めることができる。このアクノリジメントは、先行するＵＬ  ＭＵ送信１５１２についての即時ＰＨＹ  ＡＣＫ／ＢＡとすることができ、ＡＰは、それがアクノリジメントを行っている送信を明示的に示すために、ＲＵインデックスを使用することができる。図１５に示される別の実施形態においては、過去のいくつかのＭＵ送信のアクノリジメントを行うために、遅延させられたＰＨＹ  ＡＣＫ／ＢＡおよび即時ＰＨＹ  ＡＣＫ／ＢＡの何らかの組み合わが、使用されることができ、または遅延させられたＰＨＹ  ＡＣＫ／ＢＡだけが、使用されることができる。ここでは、ＡＰ１５０２は、送信を明示的に示すために、トリガフレーム内に含まれるトークン、およびＲＵインデックスを使用することができる。ＰＨＹ  ＡＣＫ／ＢＡが、使用される場合、ＡＰ１５０２は、ブロードキャストフォーマットで、フレームを送信することができる（例えば、ＳＩＧ−Ｂフィールドは、フレームがすべてのＳＴＡ１５２０によってデコードされる必要があることがあることを示すことができる。ＤＬ／ＵＬフレーム交換を単位とする最大許容遅延時間は、
【０１２０】
【数１】
2019146264.tif 000003
【０１２１】
よりも小さくすることができ、ここで、Ｔnは、第ｎのトリガフレームと後続のＵＬ送信とを合わせた送信持続時間とすることができる。実施形態においては、ＰＨＹレイヤＡＣＫおよびＮＡＣＫの両方が、伝達されることができる。
【０１２２】
図１６は、ＵＬ  ＭＵランダムアクセスの例示的な方法のフロー図１６００である。方法は、例えば、送信機、受信機、および１つまたは複数のプロセッサの何らかの組み合わせを使用して、非ＡＰ  ＳＴＡまたは他のＷＴＲＵにおいて実施されることができる。図１６に示される例においては、ＵＬ  ＭＵ送信のためのトリガフレームが、検出される（１６１０）。実施形態においては、トリガフレームは、次回のＵＬ  ＭＵ  ＰＰＤＵにおけるランダムアクセスのためのＲＵの割り当てと、トリガフレームがＭＵ送信機会（ＴｘＯＰ）におけるトリガフレームのカスケード系列内の複数のトリガフレームのうちの１つであることの表示とを含むことができる。ＲＵの割り当て内のＲＵのうちの１つは、ランダムアクセス送信のために選択されることができる（１６２０）。ランダムアクセス送信は、選択されたＲＵ上において、送信されることができる（１６３０）。送信が、例えば、ＡＰ、基地局、または他のＷＴＲＵによって正常に受信され、デコードされたという条件において、ランダムアクセス送信についてのＡＣＫが、受信されることができる（１６４０）。実施形態においては、ＡＣＫは、系列内の複数のトリガフレームのうちの１つとともに集約されることができる。
【０１２３】
実施形態においては、系列内の複数のトリガフレームのうちの少なくとも１つのトリガフレームは、最終トリガ表示を含むことができる。最終トリガ表示は、例えば、少なくとも１つのフレームが、ＵＬ電力節約ポーリング（ＰＳ−ｐｏｌｌ）をスケジュールする、目標待機時間（ＴＷＴ）サービス期間（ＳＰ）における最終トリガフレームであることを示すことができる。スリープ状態には、少なくとも１つのトリガフレーム内の表示に応答して、入ることができる。トリガフレームは、ＷＴＲＵのトラフィックバッファステータスを尋ねるポーリングを行うフィールドを含むことができる。
【０１２４】
次回のＵＬ  ＯＦＤＭＡ送信における、ランダムアクセスのためのＲＵの割り当ては、整数個ＭのＲＵについてのものとすることができ、ランダムアクセス送信のためのＲＵの割り当て内のＲＵのうちの１つは、ゼロから定められた最大値までの間の整数値の範囲からランダムバックオフインデックスＲを生成することによって、選択されることができる。Ｒ＞Ｍという条件において、ランダムアクセス送信は、保留され、Ｒの値は、Ｒ＝Ｒ−Ｍにリセットされることができる。リセットされたＲの値は、ＴｘＯＰにおける次のＭＵランダムアクセス機会を求めて競争するために、使用されることができる。Ｒ≦Ｍという条件において、非ＡＰ  ＳＴＡまたはＷＴＲＵは、ランダムアクセスのためのＲＵの割り当て内に含まれるＲＵのうちの第ＲのＲＵ上において、送信することができる。トリガフレームは、次回のＵＬ  ＭＵ  ＰＰＤＵにおいて高効率（ＨＥ）−ＳＩＧ−Ａフィールドを設定するための情報を搬送する、共通情報フィールドを含むことができる。
【０１２５】
図１７は、ＵＬ  ＭＵランダムアクセスの別の例示的な方法のフロー図１７００である。方法は、例えば、送信機、受信機、および１つまたは複数のプロセッサの何らかの組み合わせを使用して、ＡＰ、基地局、または他のＷＴＲＵにおいて実施されることができる。図１７に示される例においては、ＵＬ  ＭＵ送信のためのトリガフレームが、生成され、複数のＷＴＲＵまたはＳＴＡに送信されることができる（１７１０）。実施形態においては、トリガフレームは、次回のＵＬトリガベースのＰＰＤＵにおける、ランダムアクセスのためのＲＵの割り当てと、トリガフレームがＭＵ  ＴｘＯＰにおけるトリガフレームのカスケード系列内の複数のトリガフレームのうちの１つであることの表示とを含むことができる。ＵＬトリガベースのＰＰＤＵは、その後、受信されることができる（１７２０）。実施形態においては、ＵＬトリガベースのＰＰＤＵは、割り当てられたＲＵのうちの１つの上に、複数のＷＴＲＵまたはＳＴＡのうちの少なくとも１つからの少なくとも１つのフレームを含むことができる。少なくとも１つのフレームが、正常に受信され、デコードされたという条件において、少なくとも１つのフレームについてのアクノリジメントが、送信されることができる（１７３０）。実施形態においては、ＡＣＫは、系列内の複数のトリガフレームのうちの少なくとも１つとともに集約されることができる。
【０１２６】
実施形態においては、系列内の複数のトリガフレームのうちの少なくとも１つは、スリープ状態に入るようにＷＴＲＵまたはＳＴＡをトリガすることができる最終トリガ表示を含むことができる。実施形態においては、最終トリガ表示は、例えば、トリガフレームが、ＵＬ電力節約ポーリング（ＰＳ−Ｐｏｌｌ）をスケジュールする、目標待機時間（ＴＷＴ）サービス期間（ＳＰ）における最終トリガフレームであることの表示とすることができる。トリガフレームは、ＷＴＲＵまたはＳＴＡのトラフィックバッファステータスを尋ねるポーリングを行うフィールドを含むことができる。実施形態においては、トリガフレームは、ＵＬ  ＭＵ  ＰＰＤＵにおけるＨＥ−ＳＩＧ−Ａフィールドを設定するための情報を搬送する、共通情報フィールドを含むことができる。
【０１２７】
非ＡＰ  ＳＴＡまたはＷＴＲＵが、それのＵＬアクセスの必要性をＡＰにひとたび気付かせると、上で説明されたＵＬ  ＭＵランダムアクセス手順のいずれかの後に、または（例えば、ＡＣごとにＰＳ−Ｐｏｌｌフレーム内においてバッファステータス情報を提供することによって）ショートパケットのスケジュールされたＵＬ送信の後に、ＳＴＡは、通常のＥＤＣＡ手順を介して、またはランダムアクセストリガフレームを介して、依然として媒体にアクセスすることができる。図１８は、ＵＬ  ＭＵランダムアクセス手順、またはショートパケットのスケジュールされたＵＬ送信の後に、ＳＴＡが通常のＥＤＣＡ手順に戻った結果として発生することがある、潜在的な衝突を示す図１８００である。
【０１２８】
図１８に示される例においては、ＳＴＡは、通常のＥＤＣＡ手順にフォールバックする前に、どれくらい長くトリガフレームが到着するのを待機するかを知らないことがある。ＴｘＯＰ１８０５が終了した後、ＳＴＡ３がそれのトリガフレームを受信しておらず、ＳＴＡ３は、それのＵＬデータ１８１０を送信するために、通常のＥＤＣＡ手順にフォールバックすることができ、それは、先にＡＰに報告されている。これは、送信１８１０が、ＵＬ  ＭＵランダムアクセス手順を使用する、ＳＴＡ３を宛先とするトリガフレーム１８１５と衝突する確率を高めることができる。それは、ＳＴＡ３が、成功したＥＤＣＡアクセスの後に、それ自身を宛先とするトリガフレームが受信された場合、送信すべきものを何も有さないことがあるという問題を生み出すこともある。
【０１２９】
実施形態においては、ＳＴＡからのバッファステータス報告を搬送するフレームに応答して、ＮＡＶまたは禁止タイマが、アクノリジメントフレームにおいて提供されることができる。ＮＡＶは、アクセスカテゴリ（ＡＣ）ごと、ＳＴＡごとに設定されることができ、アクノリジメントフレームの宛先ではないＳＴＡには適用されなくてよい。ＮＡＶ／禁止タイマがＳＴＡにおいて開始された後、タイマが満了する前に、ＡＣごとのＥＤＣＡバックオフタイマは、一時停止されることができる。あるいは、タイマ値は、ビーコンフレームなどのブロードキャストメッセージ、またはプローブ応答フレームなどのシステム情報を提供する他のフレームにおいて、提供されることができる。
【０１３０】
禁止タイマは、ＳＴＡが、それ自身を宛先とするトリガフレームを受信したときに、停止されることができる。タイマは、ＴｘＯＰ保有者がＡＰであるとき、または媒体がビジーであるときは常に、一時停止されることができる。タイマが満了したとき、複数のＳＴＡが同じタイマ値を使用するときの衝突の可能性を低減させるために、ＥＤＣＡ手順が、再開されることができる。
【０１３１】
実施形態においては、以前にＡＰに報告されたことのない、よりプライオリティが高いＡＣのトラフィックが到着した場合、ＳＴＡは、タイマを無視して、ＥＤＣＡアクセスを再開することができる。さらに、ＨＥ−ＳＩＧ−Ｂなど、ＤＬプリアンブルのある部分が、デコードされることができなかった場合、ＳＴＡは、タイマを無視することができる。
【０１３２】
ＤＬトラフィックに応答するとき、更新されたバッファステータスが、アクノリジメントと一緒に報告されることができ、禁止タイマが、再開されることができる。トラフィックの同じクラスに対して、バッファステータスを搬送するフレームが、アクノリジメントされるか（データなど）、またはアクノリジメントされないか（アクノリジメントなど）に応じて、タイマの異なる値が、適用されることができる。例えば、先に失敗したＥＤＣＡアクセスのせいで、進行中の送信の試みが存在する場合、バッファステータス報告を送信した後、ＥＤＣＡアクセスの一時停止は、適用されなくてよい。ＳＴＡは、それがＡＰとアソシエーションを行うとき、タイマ値についてのネゴシエーションを実行することができる。
【０１３３】
ＵＬ  ＭＵランダムアクセスを用いる場合、ランダムアクセスプロトコルに応じて、上述の実施形態のいくつかについて説明されたように、いくつかのＲＵが、いずれのＳＴＡによっても占有されないことがあることが可能なことがある。このシナリオにおいては、特に空のＲＵ上において、プリアンブルをいかに送信すべきかが決定される必要があることがある。さらに、プリアンブルは、パケット検出の正確な開始を可能にするように設計されることができ、それは、ＡＧＣおよび時間／周波数同期、ＵＬ  ＭＵ  ＰＰＤＵのための正確なチャネル推定、後方互換性、ならびにＤＬ／ＵＬ  ＳＵ／ＭＵ送信両方のための統一されたフォーマットを含むことができる。
【０１３４】
図７に示されるような実施形態においては、すべてのＳＴＡは、全帯域上において、Ｌ−ＳＴＦ、Ｌ−ＬＴＦ、Ｌ−ＳＩＧ、およびＨＥ−ＳＩＧフィールドを送信することができる。ＡＰは、それのＤＬトリガフレーム内のＬ−ＳＩＧおよびＨＥ−ＳＩＧフィールド内に搬送される情報を割り当てることができる。ＨＥ−ＳＴＦ、ＨＥ−ＬＴＦ、およびＨＥデータフィールドは、割り当てられたＲＵ上において送信されることができる。
【０１３５】
図１９は、例示的なＵＬ  ＭＵ  ＰＰＤＵ１９００の図である。図１９に示される例においては、ＨＥ−ＳＴＦフィールド１９０２、ＨＥ−ＬＴＦフィールド１９０４、およびデータフィールド１９０６は、ユーザに割り当てられたＲＵ上において送信されることができる。あるいは、ＨＥ−ＳＴＦフィールド１９０２、およびＨＥ−ＬＴＦフィールド１９０４は、データ送信が発生することができる１つまたは複数の２０ＭＨｚ基本チャネル上において送信されることができる。例えば、ＡＰが、ＲＵｘおよびＲＵｙをＳＴＡに割り当てる場合、（ＡＰが、４０ＭＨｚ以上の帯域幅を有するチャネル上において動作することができると仮定して）ＲＵｘは、第１の２０ＭＨｚ基本チャネル上に存在することができ、ＲＵｙは、第２の２０ＭＨｚ基本チャネル上に存在することができる。
【０１３６】
ＯＦＤＭＡにおいては、サブチャネルの形態で提示される周波数リソースは、異なる無線リンクに割り当てられることができ、それらは、すべて、アップリンク方向またはダウンリンク方向にあることができる。信号が、中心周波数に関してチャネルの一方の側に割り当てられたサブチャネル上において送信されるとき、それは、元の信号の像として、チャネルの他方の側に干渉を生み出すことができ、それは、ＲＦ  Ｉ／Ｑ振幅および位相不均衡に起因することができる。
【０１３７】
図２０は、ＲＦ  Ｉ／Ｑ不均衡を有する部分的にロードされたＯＦＤＭ信号の電力スペクトル密度のグラフ２０００である。図２０におけるグラフ２０００は、２０ＭＨｚチャネルにおける２５６個のサブキャリアのうち、（グラフにおいてＡサブチャネルとして示される）１９９から２２４までのサブキャリアを有するサブチャネルがデータをロードされたシナリオのスナップショットを示している。ＲＦ  Ｉ／Ｑ不均衡のせいで、（図においてＢサブチャネルとして示される）−１１９から−２２４までのサブキャリアを有するサブチャネルの像において、約２３ｄＢの干渉が、発生させられる。
【０１３８】
単一ＢＳＳシナリオでは、ＯＦＤＭＡ  ＤＬにおいては、すべてのサブチャネル上における送信電力は、各ＳＴＡにおける、これらのサブチャネル上における受信（Ｒｘ）電力と同じであるので、この干渉は、著しくないことがある。しかしながら、ＯＦＤＭＡ  ＵＬにおいては、電力制御が存在しない、または電力制御が正確でない場合、像サブチャネル（例えば、図２０におけるＢ）における干渉は、著しくなることができる（例えば、サブチャネルＢを使用するＳＴＡは、サブチャネルＡを使用するＳＴＡよりも、ＡＰから遠く離れている）。ＭＵランダムアクセスを用いる場合、ＳＴＡは、ＡＰ側における受信電力が揃えられるように、送信電力を正確に制御することができないことがある。したがって、干渉は、ＭＵランダムアクセスの場合に、より深刻になることがある。
【０１３９】
したがって、実施形態においては、ランダムアクセスのためにＲＵを割り当てるトリガフレームは、対称ランダムアクセスが使用されることができるように設計されることができる。これは、ＳＴＡは、図２１の図２１００に示されるように、中心周波数の周りに対称に割り当てられたＲＵを使用することができることを意味する。
【０１４０】
異なるＳＴＡが異なるトラフィックプライオリティを有するシナリオにおいて、ＯＦＤＭＡランダムアクセス手順は、異なるＳＴＡのトラフィックプライオリティを考慮して、変更されることができる。これは、正しいプライオリティを有するＳＴＡが、媒体にアクセスすることを可能にすることができる。
【０１４１】
実施形態においては、ＳＴＡが、送信すべきフレームを有するとき、それは、内部ＯＦＤＭＡバックオフ（ＯＢＯ）を、ゼロからＯＦＤＭＡ競合窓（ＣＷＯ）までの範囲内のランダム値になるように初期化することができる。非ゼロＯＢＯ値を有するＳＴＡの場合、それは、ＴＦ−Ｒを用いて特定のＡＩＤ値に割り当てられたＲＵごとに、それのＯＢＯを１だけデクリメントすることができる。ＳＴＡの場合、それのＯＢＯは、ＯＢＯ＝０ではない限り、ＴＦ−Ｒにおいて特定のＡＩＤ値に割り当てられたＲＵの数に等しい値だけデクリメントする。いずれのＳＴＡのためのＯＢＯも、ＴＦ−Ｒごとに１度だけ、ゼロになることができる。ゼロまでデクリメントされたＯＢＯを有するＳＴＡは、ランダムアクセスのための割り当てられたＲＵのうちのいずれか１つをランダムに選択し、それのフレーム内において送信を行うことができる。
【０１４２】
実施形態においては、ＯＦＤＭＡバックオフ競合窓（ＣＷＯ）は、トラフィックタイプに基づいた値に初期化されることができる。これらは、音声：ＯＢＯ＿ｂａｃｋｏｆｆ［ＡＣ＿ＶＯ］、ビデオ：ＯＢＯ＿ｂａｃｋｏｆｆ［ＡＣ＿ＶＩ］、ベストエフォート：ＯＢＯ＿ｂａｃｋｏｆｆ［ＡＣ＿ＢＥ］、およびバックグランド：ＯＢＯ＿ｂａｃｋｏｆｆ［ＡＣ＿ＢＫ］として定義されることができ、音声＜ビデオ＜ベストエフォート＜バックグランドである。これは、異なるトラフィックタイプに、異なるプライオリティを与えることができる。他の実施形態においては、特定のランダムアクセス送信機会、またはランダムアクセスＯＦＤＭＡリソースは、特定のトラフィックアクセスカテゴリのために予約されることができ、そのアクセスカテゴリ以上のトラフィックを有するＳＴＡだけが、その特定のランダムアクセス機会の間、媒体にアクセスすることを許可されることができる。また他の実施形態においては、特定のランダムアクセスＯＦＤＭＡリソースは、特定のトラフィックアクセスカテゴリのために予約されることができ、そのアクセスカテゴリ以上のトラフィックを有するＳＴＡだけが、その特定のランダムアクセス機会の間、媒体にアクセスすることを許可されることができる。以下の図２２および図２３は、それぞれ、各ランダムアクセス機会内において決定されたトラフィックプライオリティを有する、また特定のＲＵのために決定されたトラフィックプライオリティを有する、異なるＴｘＯＰを示す図である。
【０１４３】
どちらのケースについても、以下の手順が、使用されることができる。ＡＰは、ランダムアクセストリガを、ＳＴＡに送出することができる。ランダムアクセストリガのプリアンブルは、利用可能なリソースと、許可されたトラフィックアクセスカテゴリとを伝達することができる。プリアンブルのＨＥ−ＳＩＧ−Ｂフィールドは、上で説明されたように、情報をＳＴＡに伝達するために使用されることができる。ＳＩＧ−Ｂフレームの共通セクションは、送信のために利用可能なリソースを示すことができる。これは、各ランダムアクセスＲＵの帯域幅、およびそれの利用可能性（いくつかのケースにおいては、ＡＰは、サイレントであること、または特定のＲＵを予約することを望むことができる）を含むことができる。
【０１４４】
一例においては、ＨＥ−ＳＩＧ−Ｂフィールドは、固定帯域幅ＲＵだけの割り当て、または異なるサイズのＲＵの混合の割り当てを示すことができる。ＨＥ−ＳＩＧ−Ｂフィールドのユーザ固有のセクションは、ＳＴＡ、ＳＴＡのグループ、および対応するリソースまたはＲＵを求めて競争することを許可されたＳＴＡのトラフィックプライオリティを示すことができる。このケースにおいては、それは、ＲＵ固有のシグナリングフィールドになることができる。
【０１４５】
制約が存在しないという条件において、すべてのＳＴＡがリソースにアクセスすることができることを示すために、フラグが、共通ＨＥ−ＳＩＧ−Ｂフィールド内に配置されることができる。このケースにおいては、ＨＥ−ＳＩＧ−Ｂフィールドは、空とすることができる。あるいは、ユーザ固有のＨＥ−ＳＩＧ−Ｂフィールドは、すべてのＳＴＡがリソースを求めて競争することができることを示す値、例えば、ＢＳＳのＢＳＳＩＤになるように設定されることができる。あるいは、グループアドレスが、リソースに割り当てられていない場合、それは、すべてのＳＴＡがリソースにアクセスすることができると推察されることができる。トラフィッククラスが、リソースに割り当てられていない場合、それは、すべてのトラフィッククラスがリソースにアクセスすることができると推察されることができる。仮想ＢＳＳを有する複数ＢＳＳＩＤシナリオにおいては、ＡＰは、すべてのＢＳＳ内のすべてのＳＴＡがリソースを求めて競争することを許可されることを保証するために、物理ＡＰのための共通ＢＳＳＩＤを使用することができる。
【０１４６】
どのＳＴＡがランダムアクセスリソースを求めて競争することを許可されるかに関する制約が存在するという条件において、リソースを求めて競争することを許可されるＳＴＡのグループを示すために、グループＩＤが、ＳＴＡＩＤまたはユーザ固有ＩＤの代わりに、使用されることができる。ＳＴＡは、トラフィックタイプ、（隠れノードを最小化するための）物理的ロケーション、および（ＯＢＳＳ  ＳＴＡへの／からの干渉を最小化するための）ＯＢＳＳ対話などの、異なる基準に基づいて、グループ化されることができる。ＡＰは、ＳＴＡのアドレスと、それが属するグループのアドレスとを有する、グループ追加フレームを送信することによって、ＳＴＡをグループに追加することができる。ＡＰは、同様にして、ＳＴＡをグループから除去することもできる。ＳＴＡは、それがグループに追加されたことを示すために、ＡＣＫを送信することができる。グループは、相互に排他的でなくてよい（すなわち、ＳＴＡは、複数のグループに属することができる）。
【０１４７】
リソースを求めて競争することを許可されたＳＴＡのトラフィックのアクセスカテゴリに関する制約が存在するという条件において、特定のトラフィックアクセスカテゴリ（ＡＣ）（または許可される最小トラフィッククラス）が、その特定のリソースのためのＨＥ−ＳＩＧ−Ｂフィールド内において送信されることができる。すべてのリソースが、制約されたトラフィッククラスである場合、最小ＡＣが、共通ＨＥ−ＳＩＧ−Ｂフィールド内において送信されることができる。別の実施形態においては、許可されるすべてのＡＣは、列挙されることができる。以下の表１は、トラフィックおよびグループ制約のための可能なＳＩＧ−Ｂ構造を示している。
【０１４８】
【表１】
2019146264.tif 000004
【０１４９】
図２２は、各ランダムアクセス機会内において決定されたトラフィックプライオリティを有する、例示的なランダムアクセス連続ＴｘＯＰの信号図２２００である。図２２に示される例においては、ＡＰ２２０２は、ＡＣ＿ＶＯの最小値を指定する、第１のランダムアクセストリガ２２１２を送信する。トリガ２２１２に応答して、ＳＴＡ１  ２２０４およびＳＴＡ３  ２２０６は、それぞれ、２２１４および２２１６のＡＣ＿ＶＯフレームを送信する。ＡＰ２２０２は、ＡＣ＿ＶＩの最小値を指定する、第２のランダムアクセストリガ２２１８を送信する。トリガに応答して、ＳＴＡ１  ２２０４およびＳＴＡ２  ２２０６は、それぞれ、ＡＣ＿ＶＩフレーム２２２０、２２２２を送信し、ＳＴＡ４  ２２０８は、ＡＣ＿ＶＯフレーム２２２４を送信する。ＡＰ２２０２は、ＡＣ＿ＢＥの最小値を指定する、第３のランダムアクセストリガ２２２６を送信する。トリガ２２２６に応答して、ＳＴＡ１  ２２０４は、ＡＣ＿ＶＩフレーム２２２８を送信し、ＳＴＡ２  ２２０８およびＳＴＡ４  ２２１０は、それぞれ、ＡＣ＿ＢＥフレーム２２３０、２２３２のを送信する。ＡＰ２２０２は、その後、連続ランダムアクセスＴｘＯＰにおける送信のすべてについてのマルチＳＴＡブロックＡＣＫ２２３４を送信することができる。
【０１５０】
図２３は、特定のＲＵについて決定されたトラフィックプライオリティを有する、例示的なランダムアクセス連続ＴｘＯＰの信号図２３００である。図２３に示される例においては、ＡＰ２３０２は、ＲＵ１  ２３１４上においてＡＣ＿ＶＯの最小値、およびＲＵ２  ２３１６上においてＡＣ＿ＢＫの最小値を指定する、第１のランダムアクセストリガ２３１２を送信する。第１のランダムアクセストリガ２３１２に応答して、ＳＴＡ１  ２３０４は、ＲＵ１を獲得し、ＲＵ１上において、ＡＣ＿ＶＯフレーム２３１８を送信し、ＳＴＡ３  ２３０８は、ＲＵ２を獲得し、ＲＵ２上において、ＡＣ＿ＢＥフレーム２３２０を送信する。ＡＰ２３０２は、ＲＵ１上においてＡＣ＿ＶＯの最小値、およびＲＵ２上においてＡＣ＿ＢＫの最小値を指定する、第２のランダムアクセストリガ２３２２を送信する。第２のトリガフレーム２３２２に応答して、ＳＴＡ２  ２３０６は、ＲＵ１を獲得し、ＡＣ＿ＶＯフレーム２３２８を送信し、ＳＴＡ４  ２３１０は、ＲＵ２を獲得し、ＡＣ＿ＶＩフレーム２３３０を送信する。ＡＰ２３０２は、その後、マルチＳＴＡブロックＡＣＫ２３３２を送信することができる。
【０１５１】
上では特徴および要素が特定の組み合わせで説明されたが、各特徴または要素は、単独で使用されることができ、または他の特徴および要素との任意の組み合わせで使用されることができることを当業者は理解されよう。加えて、本明細書において説明された方法は、コンピュータまたはプロセッサによって実行される、コンピュータ可読媒体内に包含された、コンピュータプログラム、ソフトウェア、またはファームウェアで実施されることができる。コンピュータ可読媒体の例は、（有線または無線接続上において送信される）電子信号、およびコンピュータ可読記憶媒体を含む。コンピュータ可読記憶媒体の例は、限定されることなく、リードオンリメモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光媒体を含む。ＷＴＲＵ、ＵＥ、端末、基地局、ＲＮＣ、または任意のホストコンピュータにおいて使用するための無線周波数送受信機を実施するために、ソフトウェアと連携するプロセッサが、使用されることができる。
【図１Ａ】
2019146264.tif 000005
【図１Ｂ】
2019146264.tif 000006
【図１Ｃ】
2019146264.tif 000007
【図２Ａ】
2019146264.tif 000008
【図２Ｂ】
2019146264.tif 000009
【図３Ａ】
2019146264.tif 000010
【図３Ｂ】
2019146264.tif 000011
【図４Ａ】
2019146264.tif 000012
【図４Ｂ】
2019146264.tif 000013
【図５】
2019146264.tif 000014
【図６Ａ】
2019146264.tif 000015
【図６Ｂ】
2019146264.tif 000016
【図６Ｃ】
2019146264.tif 000017
【図７】
2019146264.tif 000018
【図８Ａ】
2019146264.tif 000019
【図８Ｂ】
2019146264.tif 000020
【図９】
2019146264.tif 000021
【図１０】
2019146264.tif 000022
【図１１】
2019146264.tif 000023
【図１２】
2019146264.tif 000024
【図１３】
2019146264.tif 000025
【図１４】
2019146264.tif 000026
【図１５】
2019146264.tif 000027
【図１６】
2019146264.tif 000028
【図１７】
2019146264.tif 000029
【図１８】
2019146264.tif 000030
【図１９】
2019146264.tif 000031
【図２０】
2019146264.tif 000032
【図２１】
2019146264.tif 000033
【図２２】
2019146264.tif 000034
【図２３】
2019146264.tif 000035
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
送信機、および
プロセッサ
を備えた局（ＳＴＡ）であって、
前記送信機および前記プロセッサは、アップリンク（ＵＬ）マルチユーザ（ＭＵ）送信のためのトリガフレームを検出するように構成されており、前記トリガフレームは、１つまたは複数のランダムアクセスリソースユニット（ＲＵ）の割り当てを含むユーザ情報フィールド、および前記ＵＬ  ＭＵ送信内の高効率（ＨＥ）信号Ａ（ＨＥ−ＳＩＧ−Ａ）フィールドをセットするための情報を含む共通情報フィールドを含み、
前記送信機および前記プロセッサは、ＨＥトリガベース（ＴＢ）物理レイヤ（ＰＨＹ）プロトコルデータユニット（ＰＰＤＵ）を生成し、前記トリガフレーム内の前記情報を使用して前記ＨＥ  ＴＢ  ＰＰＤＵ内にＨＥ−ＳＩＧ−Ａフィールドをセットするようにさらに構成されており、
前記送信機および前記プロセッサは、前記ＳＴＡがアクセスポイント（ＡＰ）に送信するための保留フレームを有するという条件で、前記トリガフレーム内に割り当てられた前記１つまたは複数のランダムアクセスＲＵのうちの１つを選択し、前記１つまたは複数のランダムアクセスＲＵのうちの前記選択された１つを使用して、前記トリガフレームの後のショートインターフレームスペース（ＳＩＦＳ）で、前記ＨＥ  ＴＢ  ＰＰＤＵを送信するようにさらに構成されている、
ＳＴＡ。
【請求項２】
前記ユーザ情報フィールドは、１つまたは複数の専用ＲＵの割り当てをさらに含み、
各専用ＲＵは、特定のＳＴＡのアソシエーション識別子（ＡＩＤ）に関連付けられており、
前記１つまたは複数のランダムアクセスＲＵのそれぞれは、ランダムアクセスのために予約されたＡＩＤに関連付けられている、
請求項１に記載のＳＴＡ。
【請求項３】
前記トリガフレームは、以前のＵＬ  ＭＵ送信の少なくとも１つのＨＥ  ＴＢ  ＰＰＤＵに対する肯定応答（ＡＣＫ）と集約される、請求項１に記載のＳＴＡ。
【請求項４】
前記プロセッサおよび前記送信機は、ＵＬ  ＭＵ送信のための別のトリガフレームを受信するようにさらに構成されており、前記別のトリガフレームは、前記ＨＥ  ＴＢ  ＰＰＤＵに対する肯定応答（ＡＣＫ）と集約される、請求項１に記載のＳＴＡ。
【請求項５】
前記トリガフレームは、ＷＴＲＵのトラフィックバッファステータスに対するポーリングを含むフィールドを含む、請求項１に記載のＳＴＡ。
【請求項６】
前記ランダムアクセスＲＵの前記割り当ては、整数Ｍ個のＲＵに対するものであり、前記プロセッサおよび前記送信機は、
ランダムバックオフカウンタ値Ｒを生成し、
Ｒ＞Ｍであるという条件で、前記ＨＥ  ＴＢ  ＰＰＤＵを保持し、ＲをＲ＝Ｒ−Ｍまでデクリメントし、Ｒの前記デクリメントされた値を使用して次のＭＵ  ランダムアクセス機会を得るために競争し、
Ｒがゼロ未満またはゼロに等しいという条件で、前記ＨＥ  ＴＢ  ＰＰＤＵを送信する
ことによって、前記トリガフレーム内の割り当てられた前記ランダムアクセスＲＵの前記１つを選択するように構成された、請求項１に記載のＳＴＡ。
【請求項７】
前記プロセッサおよび前記送信機と通信可能に結合されたアンテナをさらに備えた、請求項１に記載のＳＴＡ。
【請求項８】
局（ＳＴＡ）により実施される方法であって、
アップリンク（ＵＬ）マルチユーザ（ＭＵ）送信のためのトリガフレームを検出するステップであって、前記トリガフレームは、１つまたは複数のランダムアクセスリソースユニット（ＲＵ）の割り当てを含むユーザ情報フィールド、および前記ＵＬ  ＭＵ送信内の高効率（ＨＥ）信号Ａ（ＨＥ−ＳＩＧ−Ａ）フィールドをセットするための情報を含む共通情報フィールドを含む、ステップと、
ＨＥトリガベース（ＴＢ）物理レイヤ（ＰＨＹ）プロトコルデータユニット（ＰＰＤＵ）を生成するステップと、
前記トリガフレーム内の前記情報を使用して前記ＨＥ  ＴＢ  ＰＰＤＵ内にＨＥ−ＳＩＧ−Ａフィールドをセットするステップと、
前記ＳＴＡがアクセスポイント（ＡＰ）に送信するための保留フレームを有するという条件で、
前記トリガフレーム内に割り当てられた前記１つまたは複数のランダムアクセスＲＵのうちの１つを選択するステップと、
前記１つまたは複数のランダムアクセスＲＵのうちの前記選択された１つを使用して、前記トリガフレームの後のショートインターフレームスペース（ＳＩＦＳ）で、前記ＨＥ  ＴＢ  ＰＰＤＵを送信するステップと、
を備える、方法。
【請求項９】
前記ユーザ情報フィールドは、１つまたは複数の専用ＲＵの割り当てをさらに含み、
各専用ＲＵは、特定のＳＴＡのアソシエーション識別子（ＡＩＤ）に関連付けられており、
前記１つまたは複数のランダムアクセスＲＵのそれぞれは、ランダムアクセスのために予約されたＡＩＤに関連付けられている、
請求項８に記載の方法。
【請求項１０】
前記トリガフレームは、以前のＵＬ  ＭＵ送信の少なくとも１つのＨＥ  ＴＢ  ＰＰＤＵに対する肯定応答（ＡＣＫ）と集約される、請求項８に記載の方法。
【請求項１１】
ＵＬ  ＭＵ送信のための別のトリガフレームを受信するステップをさらに備え、
前記別のトリガフレームは、前記ＨＥ  ＴＢ  ＰＰＤＵに対する肯定応答（ＡＣＫ）と集約される、請求項８に記載の方法。
【請求項１２】
前記トリガフレームは、ＷＴＲＵのトラフィックバッファステータスに対するポーリングを含むフィールドを含む、請求項８に記載の方法。
【請求項１３】
前記ランダムアクセスＲＵの前記割り当ては、整数Ｍ個のＲＵに対するものであり、前記トリガフレーム内の割り当てられた前記ランダムアクセスＲＵの前記１つを選択するステップは、
ランダムバックオフカウンタ値Ｒを生成することと、
Ｒ＞Ｍであるという条件で、前記ＨＥ  ＴＢ  ＰＰＤＵを保持することと、ＲをＲ＝Ｒ−Ｍまでデクリメントすることと、Ｒの前記デクリメントされた値を使用して次のＭＵ  ランダムアクセス機会を得るために競争することと、
Ｒがゼロ未満またはゼロに等しいという条件で、前記ＨＥ  ＴＢ  ＰＰＤＵを送信することと
を備える、請求項８に記載の方法。
【請求項１４】
送信機、および
プロセッサ
を備えたアクセスポイント（ＡＰ）であって、
前記送信機および前記プロセッサは、アップリンク（ＵＬ）マルチユーザ（ＭＵ）送信のためのトリガフレームを生成し、２つ以上の局（ＳＴＡ）に送信するように構成されており、前記トリガフレームは、１つまたは複数のランダムアクセスリソースユニット（ＲＵ）の割り当てを含むユーザ情報フィールド、および前記ＵＬ  ＭＵ送信内の高効率（ＨＥ）信号Ａ（ＨＥ−ＳＩＧ−Ａ）フィールドをセットするための情報を含む共通情報フィールドを含み、
前記送信機および前記プロセッサは、前記ＳＴＡの少なくとも２つから、前記ＲＵのそれぞれにおいて少なくとも２つのＨＥトリガベース（ＴＢ）物理レイヤ（ＰＨＹ）プロトコルデータユニット（ＰＰＤＵ）を受信し、前記少なくとも２つのＨＥ  ＴＢ  ＰＰＤＵは同一のＨＥ−ＳＩＧ−Ａフィールドを有している、ように構成された、
ＡＰ。
【請求項１５】
前記ユーザ情報フィールドは、１つまたは複数の専用ＲＵの割り当てをさらに含み、
各専用ＲＵは、特定のＳＴＡのアソシエーション識別子（ＡＩＤ）に関連付けられており、
前記１つまたは複数のランダムアクセスＲＵのそれぞれは、ランダムアクセスのために予約されたＡＩＤに関連付けられている、
請求項１４に記載のＡＰ。
【請求項１６】
前記送信機および前記プロセッサは、前記トリガフレームと、以前のＵＬ  ＭＵ送信の少なくとも１つのＨＥ  ＴＢ  ＰＰＤＵに対する肯定応答（ＡＣＫ）とを集約するようにさらに構成された、請求項１４に記載のＡＰ。
【請求項１７】
前記プロセッサおよび前記送信機は、
別のトリガフレームを生成し、
前記別のトリガフレームと、前記少なくとも２つのＨＥ  ＴＢ  ＰＰＤＵに対する肯定応答（ＡＣＫ）とを集約し、
前記トリガフレームを前記２つ以上のＳＴＡに送信する
ようにさらに構成された、請求項１４に記載のＡＰ。
【請求項１８】
前記プロセッサおよび前記送信機は、前記トリガフレームのカスケードシーケンス内の最後のトリガフレームの後に前記別のトリガフレームを生成して送信するようにさらに構成された、請求項１７に記載のＡＰ。
【請求項１９】
前記トリガフレームは、ＷＴＲＵのトラフィックバッファステータスに対するポーリングを含むフィールドを含む、請求項１４に記載のＡＰ。